(57)【要約】【課題】主たる視聴者の好みに応じた画質に設定する。【解決手段】表示装置１０は、映像を表示する表示部２３とリモコン３０からの信号を受け付けるリモコン受光部２０と、リモコン３０の最も近くに位置するユーザを特定するためのユーザ情報を取得するユーザ特定部１３０と、ユーザ特定部１３０が取得したユーザ情報に対応する、画質調整部２２が画質を調整するための設定値を、記録部２１から取得し、取得した設定値で画質を調整するように画質調整部２２に指示する画質調整指示部１５０とを備えている。これにより、リモコン３０を操作しているユーザの好みに合った画質で表示装置１０に映像を表示することができる。【選択図】図１
2011223573.tif 000002
【特許請求の範囲】
【請求項１】
映像を表示する表示部と遠隔操作装置からの信号を受け付ける受付部とを備える表示装置であって、
上記映像の画質を調整し、調整された映像を上記表示部に表示する画質調整部と、
上記遠隔操作装置の最も近くに位置するユーザを特定するためのユーザ情報を取得するユーザ情報取得手段と、
上記ユーザ情報に関連付けられている、上記画質調整部が上記画質を調整するための設定値を記録している記録部から、上記ユーザ情報取得手段が取得したユーザ情報に対応する上記設定値を取得し、取得した設定値で上記画質を調整するように上記画質調整部に指示する画質調整指示手段とを備えていることを特徴とする表示装置。
【請求項２】
上記ユーザ情報取得手段は、上記受付部が遠隔操作装置からの信号を受け付けた時、上記ユーザ情報を取得することを特徴とする請求項１に記載の表示装置。
【請求項３】
上記遠隔操作装置および該遠隔操作装置を操作するユーザの顔を少なくとも撮影可能なカメラを備え、
上記ユーザ情報取得手段は、上記カメラで撮影した画像から遠隔操作装置の位置を特定するとともに、該画像から該遠隔操作装置の最も近くに位置するユーザの顔の特徴点を示す情報を上記ユーザ情報として取得することを特徴とする請求項１または２に記載の表示装置。
【請求項４】
上記ユーザ情報取得手段は、遠隔操作装置によって取得された画像から、ユーザの顔の特徴点を示す情報を、上記ユーザ情報として取得することを特徴とする請求項１または２に記載の表示装置。
【請求項５】
上記ユーザ情報取得手段は、遠隔操作装置によって取得されたユーザの指紋の情報を、該遠隔操作装置より上記ユーザ情報として取得することを特徴とする請求項１または２に記載の表示装置。
【請求項６】
自装置に入力される映像信号のジャンルを示すジャンル情報を取得するジャンル取得手段をさらに備え、
上記画質調整指示手段は、上記ユーザ情報取得手段が取得したユーザ情報に対応する上記設定値を、上記ユーザ情報と、上記映像のジャンルを示すジャンル情報とに対応する、上記記録部から取得し、取得した設定値で上記画質を調整するように上記画質調整部に指示するものであることを特徴とする請求項１から５のいずれか１項に記載の表示装置。
【請求項７】
利用者に応じた画像を表示部に表示する表示装置であって、
利用者の身体的な特徴を表すとともに利用者を識別可能な識別情報と、利用者に応じた画像を上記表示部に表示させるための表示制御情報とを対応付けて記憶する記憶部と、
上記識別情報を、利用者の操作を要さずに、利用者から取得する識別情報取得手段と、
上記識別情報取得手段によって取得された上記識別情報が上記記憶部に記憶されているとき、取得された上記識別情報と対応付けて上記記憶部に記憶されている上記表示制御情報に従って、上記表示部に画像を表示させる表示制御手段とを備えるとともに、
上記識別情報取得手段によって取得された上記識別情報が上記記憶部に記憶されておらず、かつ、当該識別情報の取得回数が予め定められた閾値を超えたとき、当該識別情報と上記表示制御情報とを対応付けて上記記憶部に格納する識別情報格納手段を備えることを特徴とする表示装置。
【請求項８】
上記表示制御情報の入力を受け付ける表示制御情報入力手段をさらに備え、
上記識別情報格納手段は、上記表示制御情報入力手段にて受け付けた上記表示制御情報と、上記識別情報とを対応付けて上記記憶部に格納することを特徴とする請求項７に記載の表示装置。
【請求項９】
上記識別情報格納手段は、上記識別情報取得手段が上記識別情報を取得したときに、上記表示制御手段から得られる上記表示制御情報と、取得した上記識別情報とを対応付けて上記記憶部に格納することを特徴とする請求項７に記載の表示装置。
【請求項１０】
上記閾値は、１以上の整数であることを特徴とする請求項７から９のいずれか１項に記載の表示装置。
【請求項１１】
利用者の身体的な特徴を表す画像を撮像可能な撮像部をさらに備え、
上記識別情報取得手段は、上記撮像部によって撮像された画像から上記識別情報を取得することを特徴とする請求項７から１０のいずれか１項に記載の表示装置。
【請求項１２】
請求項１〜１１のいずれか１項に記載の表示装置を備えることを特徴とするテレビジョン受像機。
【請求項１３】
映像を表示する表示部と、上記映像の画質を調整し、調整された映像を上記表示部に表示する画質調整部と、遠隔操作装置からの信号を受け付ける受付部とを備える表示装置の制御方法であって、
上記遠隔操作装置の最も近くに位置するユーザを特定するためのユーザ情報を取得するユーザ情報取得ステップと、
上記ユーザ情報に関連付けられている、上記画質調整部が上記画質を調整するための設定値を記録している記録部から、上記ユーザ情報取得ステップにて取得したユーザ情報に対応する上記設定値を取得し、取得した設定値で上記画質を調整するように上記画質調整部に指示する調整指示ステップと、を含むことを特徴とする表示装置の制御方法。
【請求項１４】
利用者に応じた画像を表示する表示部と、利用者の身体的な特徴を表すとともに利用者を識別可能な識別情報と、利用者に応じた画像を上記表示部に表示させるための表示制御情報とを対応付けて記憶する記憶部とを備える表示装置の制御方法であって、
上記識別情報を、利用者の操作を要さずに、利用者から取得する識別情報取得ステップと、
上記識別情報取得ステップによって取得された上記識別情報が上記記憶部に記憶されているとき、取得された上記識別情報と対応付けて上記記憶部に記憶されている上記表示制御情報に従って、上記表示部に画像を表示させる表示制御ステップとを含むとともに、
上記識別情報取得ステップによって取得された上記識別情報が上記記憶部に記憶されておらず、かつ、当該識別情報の取得回数が予め定められた閾値を超えたとき、当該識別情報と上記表示制御情報とを対応付けて上記記憶部に格納する識別情報格納ステップを含むことを特徴とする表示装置の制御方法。
【請求項１５】
表示装置へ信号を送信する信号送信部を備える遠隔操作装置であって、
自装置を操作しているユーザを特定するためのユーザ情報を取得するユーザ情報取得手段と、
該ユーザ情報を上記信号送信部を介して上記表示装置に送信するユーザ情報送信手段とを備えていることを特徴とする遠隔操作装置。
【請求項１６】
自装置を操作するユーザの顔を撮影可能なカメラを備え、
上記ユーザ情報取得手段は、上記カメラで撮影した画像から自装置を操作するユーザの顔の特徴点を示す情報を、上記ユーザ情報として取得することを特徴とする請求項１５に記載の遠隔操作装置。
【請求項１７】
自装置を操作するユーザから指紋の情報を取得する指紋センサを備え、
上記ユーザ情報取得手段は、上記指紋センサで取得した指紋の情報から自装置を操作するユーザの指紋の特徴点を示す情報を、上記ユーザ情報として取得することを特徴とする請求項１５に記載の遠隔操作装置。
【請求項１８】
表示装置へ信号を送信する信号送信部を備える遠隔操作装置の制御方法であって、
自装置を操作しているユーザを特定するためのユーザ情報を取得するユーザ情報取得ステップと、
上記ユーザ情報取得ステップにて取得したユーザ情報を、上記信号送信部を介して上記表示装置に送信する信号送信ステップと、を含むことを特徴とする遠隔操作装置の制御方法。
【請求項１９】
請求項１から１１までの何れか１項に記載の表示装置を動作させるためのプログラムであって、コンピュータを上記の各手段として機能させるためのプログラム。
【請求項２０】
請求項１５から１７までの何れか１項に記載の遠隔操作装置を動作させるためのプログラムであって、コンピュータを上記の各手段として機能させるためのプログラム。
【請求項２１】
請求項１９または２０に記載のプログラムを記録したコンピュータ読み取り可能な記録媒体。
【発明の詳細な説明】
【技術分野】
【０００１】
本発明は、利用者に応じた画像を表示する表示装置、テレビジョン受像機、表示装置の制御方法、表示装置に信号を送信する遠隔操作装置、遠隔操作装置の制御方法、制御プログラム、および制御プログラムを記録したコンピュータ読み取り可能な記録媒体に関する。
【背景技術】
【０００２】
表示装置において、番組の再生時にユーザの好みに応じて画質を調整するために、番組視聴中にユーザを特定し、特定されたユーザの設定した画質で映像画像を提供する表示装置が提案されている。
【０００３】
ユーザに応じて表示画像の画質を制御する表示装置として、例えば、特許文献１に記載されている。
【０００４】
特許文献１には、ＣＣＤカメラによって撮影されたユーザの顔画像から、瞬きの回数を検出することで、ユーザの覚醒度を推定し、覚醒度に応じて表示画像の色合いを制御する表示装置が記載されている。
【０００５】
また、非特許文献２には、室内の明るさや照明の色に応じて、最適な画質で映像を表示するように、画質を自動で調整するテレビが記載されている。
【０００６】
なお、ユーザを特定する技術として、例えば、特許文献２及び特許文献３がある。
【０００７】
特許文献２には、ユーザを特定する手段として、認識対象者の手の平を含む身体の画像から、特定部位の大きさを検出し、検出された特定部位の大きさと、予め登録されている複数の認識対象者の特定部位の大きさとを順次照合する方法が提案されている。
【０００８】
また、特許文献３には、ディスプレー装置を視聴している視聴者とリモートコントローラーの操作者をＣＣＤカメラで撮影された画像認識する手段が記載されている。
【０００９】
また、利用者を自動認識し、その利用者の嗜好に合わせた表示を行なう技術として、特許文献３には、登録された嗜好情報に応じて自動録画を行なう記録再生装置が記載されている。この技術は、利用者を認識し、認識された利用者に対応する番組情報を表示するものである。
【００１０】
また、認識対象者を認識する技術として、特許文献４には、認識対象者の顔画像を認識し、認識結果に基づいて被制御物の動作の可否を判定する顔画像認識装置が記載されている。また、特許文献５には、利用者の顔画像を取得し、顔画像によって年齢を判断し、年齢ごとに異なる操作画面を表示する情報端末装置が記載されている。
【００１１】
また、非特許文献１には、顔の中に特徴点をとり、その点を結んだ辺の長さのベクトル情報を機械学習させて、年齢を推定する方法が記載されている。
【００１２】
また、非特許文献２には、室内の明るさや照明の色に応じて、最適な画質を表示するように、画質を自動で調整するテレビが記載されている。
【００１３】
また、特許文献６には、表示装置本体側に赤外線角度センサを設け、表示部を異なる角度からリモコン操作する場合にリモコン本体に視聴角度を登録し角度登録信号を出力する表示システムが記載されている。
【先行技術文献】
【特許文献】
【００１４】
【特許文献１】日本国公開特許公報「特開２００７−３６１８号公報（２００７年１月１１日公開）」
【特許文献２】日本国公開特許公報「特開２００６−２６８１３１号公報（２００６年１０月５日公開）」
【特許文献３】日本国公開特許公報「特開２００６−１００８８１号公報（２００６年４月１３日公開）」
【特許文献４】日本国公開特許公報「特開２００１−２５６４９６号公報（２００１年９月２１日公開）」
【特許文献５】日本国公開特許公報「特開２００６−１１９９２０号公報（２００６年５月１１日公開）」
【特許文献６】日本国公開特許公報「特開２００８−１８０８６０号公報（２００８年８月７日公開）」
【非特許文献】
【００１５】
【非特許文献１】“顔のかたちと印象”［online］、東京大学、（２０１０年３月１１日検索）、インターネット＜ＵＲＬ：http://kouiki.c.u-tokyo.ac.jp/topics/2008/2008_g/2008_g.html＞
【非特許文献２】“おまかせドンピシャ高画質”［online］、東芝、（２０１０年３月１１日検索）、インターネット＜ＵＲＬ：http://www.toshiba.co.jp/regza/detail/omakase/about.html＞
【発明の概要】
【発明が解決しようとする課題】
【００１６】
ところで、複数のユーザが一緒に番組を視る場合、その番組を一番視たいと思っている視聴者の好みに合わせた画質で映像を提供する表示装置が求められている。しかし、特許文献１及び非特許文献２の技術では、主たる視聴者を特定するものではなく、また、異なるユーザに対して好みの画質を表示するものではない。
【００１７】
また、上記特許文献３に記載された技術では、利用者は、予め撮像装置を操作して自らの顔を撮影し、登録操作を行なわなければ、装置に登録されない。したがって、利用者は、自らを登録する際に手間を感じるとともに、特に利用者が変わった場合、新たに利用者が加わった場合などに、新たな利用者を登録するためには利用者の自発的な操作が必要となり、利用者に応じた表示を効率よく行なうことが困難であるという問題を生じる。
【００１８】
また、上記特許文献４および５、ならびに非特許文献１および２の技術を利用したとしても、上記問題を解決することはできない。
【００１９】
また、特許文献６の技術では複数ユーザが事前にリモコンで角度設定をしなければならない煩わしさがある。また、装置本体部の前面部に赤外線を利用する角度検出センサを設けているが、蛍光管をバックライトに用いたテレビ等では電源起動時等に蛍光管側から放出される赤外線等の干渉により赤外線の入射角を精度よく判定できないという課題がある。
【００２０】
本発明は、上記の課題を解決するためになされたものであり、第１の目的は、主たる視聴者の好みに応じた画質設定で番組を視聴可能な表示装置、表示装置に対応付けられた遠隔操作装置などを提供することにある。また、本発明の第２の目的は、利用者登録に要する利用者の手間を低減する表示装置等を提供することにある。
【課題を解決するための手段】
【００２１】
本発明に係る表示装置は、上記課題を解決するために、映像を表示する表示部と遠隔操作装置からの信号を受け付ける受付部とを備える表示装置であって、上記映像の画質を調整し、調整された映像を上記表示部に表示する画質調整部と、上記遠隔操作装置の最も近くに位置するユーザを特定するためのユーザ情報を取得するユーザ情報取得手段と、上記ユーザ情報に関連付けられている、上記画質調整部が上記画質を調整するための設定値を記録している記録部から、上記ユーザ情報取得手段が取得したユーザ情報に対応する上記設定値を取得し、取得した設定値で上記画質を調整するように上記画質調整部に指示する画質調整指示手段とを備えていることを特徴としている。
【００２２】
また、本発明に係る表示装置の制御方法は、上記課題を解決するために、映像を表示する表示部と、上記映像の画質を調整し、調整された映像を上記表示部に表示する画質調整部と、遠隔操作装置からの信号を受け付ける受付部とを備える表示装置の制御方法であって、上記遠隔操作装置の最も近くに位置するユーザを特定するためのユーザ情報を取得するユーザ情報取得ステップと、上記ユーザ情報に関連付けられている、上記画質調整部が上記画質を調整するための設定値を記録している記録部から、上記ユーザ情報取得ステップにて取得したユーザ情報に対応する上記設定値を取得し、取得した設定値で上記画質を調整するように上記画質調整部に指示する調整指示ステップと、を含むことを特徴としている。
【００２３】
上記の構成、及び、方法によれば、自装置を利用しており、遠隔操作装置の最も近くに位置するユーザを特定するためのユーザ情報が取得され、取得されたユーザ情報に対応する設定値が記録部から取得され、取得された設定値で画質調整部が画質を調整する。
【００２４】
これにより、遠隔操作装置の最も近くに位置するユーザが特定でき、特定されたユーザの好みに合った画質で映像を表示することができる。
【００２５】
ここで、遠隔操作装置の最も近くに位置するユーザは、遠隔操作装置を使用しているユーザである場合が多い。また、遠隔操作装置を使用しているユーザは、上記映像を視聴したいと強く思っている主たる視聴者である場合が多い。
【００２６】
従って、本発明に係る表示装置は、自装置を利用している主たる視聴者の好みに合った画質で映像を表示できるという効果を奏する。
【００２７】
また、本発明に係る表示装置では、上記ユーザ情報取得手段は、上記受付部が遠隔操作装置からの信号を受け付けた時、上記ユーザ情報を取得する、ことが好ましい。
【００２８】
上記構成によれば、表示装置は、受付部が遠隔操作装置からの信号を受け付けた時、ユーザの特定を行う。そのため、一定のタイミングでユーザ特定処理を行う場合と比べ、表示装置が消費する電力を低下させることができる。
【００２９】
本発明に係る表示装置では、上記遠隔操作装置および該遠隔操作装置を操作するユーザの顔を少なくとも撮影可能なカメラを備え、上記ユーザ情報取得手段は、上記カメラで撮影した画像から遠隔操作装置の位置を特定するとともに、該画像から該遠隔操作装置の最も近くに位置するユーザの顔の特徴点を示す情報を上記ユーザ情報として取得する、ことが好ましい。
【００３０】
上記構成によれば、カメラを用いて撮影された画像より、遠隔操作装置の位置を特定し、上記画像より該遠隔操作装置の最も近くに位置するユーザを特定することができる。
【００３１】
従って、カメラを用いて撮影された画像より、遠隔操作装置の位置が特定できるため、該遠隔操作装置の最も近くに位置するユーザの特定が可能である。
【００３２】
本発明に係る表示装置では、上記ユーザ情報取得手段は、遠隔操作装置によって取得された画像から、ユーザの顔の特徴点を示す情報を、上記ユーザ情報として取得してもよい。
【００３３】
上記構成によれば、遠隔操作装置は、遠隔操作装置に備えられたカメラにて、遠隔操作装置の近くにいるユーザを撮影し、撮影された画像をリモコン受光部に送信する。表示装置は、遠隔操作装置より受信した該撮影画像を用いて、ユーザの特徴情報を取得する。
【００３４】
従って、表示装置は、ユーザ表示装置より離れている場所にいた場合であっても、ユーザが操作している遠隔操作装置に備えられたカメラにて撮影された画像から、ユーザを特定するユーザ情報を取得し、取得したユーザ情報より、該ユーザの好みに合った画質での映像を表示することができる。
【００３５】
本発明に係る表示装置では、上記ユーザ情報取得手段は、遠隔操作装置によって取得されたユーザの指紋の情報を、該遠隔操作装置より上記ユーザ情報として取得してもよい。
【００３６】
上記構成によれば、遠隔操作装置は、遠隔操作装置に備えられた指紋センサを用いて、ユーザの指紋の情報を取得し、該ユーザの指紋の情報をリモコン受光部に送信する。表示装置は、遠隔操作装置より受信した該ユーザの指紋の情報を用いて、ユーザの特徴情報を取得する。
【００３７】
従って、各ユーザは使用している遠隔操作装置に指紋を読み込ませる操作のみ行うことにより、表示装置にユーザの好みに合った画質の映像を表示させることができるため、ユーザの利便性が向上する。
【００３８】
本発明に係る表示装置では、自装置に入力される映像信号のジャンルを示すジャンル情報を取得するジャンル取得手段をさらに備え、上記画質調整指示手段は、上記ユーザ情報取得手段が取得したユーザ情報に対応する上記設定値を、上記ユーザ情報と、上記映像のジャンルを示すジャンル情報とに対応する、上記記録部から取得し、取得した設定値で上記画質を調整するように上記画質調整部に指示してもよい。
【００３９】
上記構成によれば、表示装置はユーザ情報とジャンル情報とに対応した設定値で画質を調整した映像を表示することができる。これにより、表示装置は、ジャンルごとに異なった設定値で画質を調整した映像を表示することができる。
【００４０】
本発明に係る表示装置は、上記課題を解決するために、利用者に応じた画像を表示部に表示する表示装置であって、利用者の身体的な特徴を表すとともに利用者を識別可能な識別情報と、利用者に応じた画像を上記表示部に表示させるための表示制御情報とを対応付けて記憶する記憶部と、上記識別情報を、利用者の操作を要さずに、利用者から取得する識別情報取得手段と、上記識別情報取得手段によって取得された上記識別情報が上記記憶部に記憶されているとき、取得された上記識別情報と対応付けて上記記憶部に記憶されている上記表示制御情報に従って、上記表示部に画像を表示させる表示制御手段とを備えるとともに、上記識別情報取得手段によって取得された上記識別情報が上記記憶部に記憶されておらず、かつ、当該識別情報の取得回数が予め定められた閾値を超えたとき、当該識別情報と上記表示制御情報とを対応付けて上記記憶部に格納する識別情報格納手段を備えることを特徴とする。
【００４１】
また、本発明に係る表示装置の制御方法は、利用者に応じた画像を表示する表示部と、利用者の身体的な特徴を表すとともに利用者を識別可能な識別情報と、利用者に応じた画像を上記表示部に表示させるための表示制御情報とを対応付けて記憶する記憶部とを備える表示装置の制御方法であって、上記識別情報を、利用者の操作を要さずに、利用者から取得する識別情報取得ステップと、上記識別情報取得ステップによって取得された上記識別情報が上記記憶部に記憶されているとき、取得された上記識別情報と対応付けて上記記憶部に記憶されている上記表示制御情報に従って、上記表示部に画像を表示させる表示制御ステップとを含むとともに、上記識別情報取得ステップによって取得された上記識別情報が上記記憶部に記憶されておらず、かつ、当該識別情報の取得回数が予め定められた閾値を超えたとき、当該識別情報と上記表示制御情報とを対応付けて上記記憶部に格納する識別情報格納ステップを含むことを特徴とする。
【００４２】
上記の構成であれば、表示装置は、利用者の操作を要さずに利用者の識別情報を取得する。そして、取得した識別情報が記憶部に記憶されていない場合であって、その識別情報の取得回数が予め定められた閾値を超えたときに、自動で記憶（登録）する処理を実行する。これにより、表示装置は、自装置を継続的に利用する者（以下、「継続利用者」と表記する）の識別情報を選択的に記憶する処理を自動で実行することができる。
【００４３】
よって、表示装置に登録されていない利用者が、表示装置を所定回数だけ利用すれば、自動的に継続利用者として登録される。つまり、利用者が操作を自発的に行なう必要がないため、利用者に手間を感じさせることなく、効率よく継続利用者を登録することができる。
【００４４】
そのため、例えば表示装置を家庭で使用するテレビジョン受像機に適用する場合には、新たな家族が増えたときなどにその家族を効率よく登録することができるなどの効果が得られる。
【００４５】
また、継続利用者が表示装置を利用する場合には、継続利用者が自発的に操作を行なわなくても、継続利用者に対応する表示制御情報に基づいて画像を表示させることができる。したがって、継続利用者の好みの画像を表示したり、好みの画質で画像を表示したりすることが可能となる。
【００４６】
また、本発明に係る表示装置では、上記表示制御情報の入力を受け付ける表示制御情報入力手段をさらに備え、上記識別情報格納手段は、上記表示制御情報入力手段にて受け付けた上記表示制御情報と、上記識別情報とを対応付けて上記記憶部に格納することが好ましい。
【００４７】
上記の構成であれば、識別情報格納手段は、利用者が入力した表示制御情報を取得して記憶部に格納することができる。したがって、表示制御情報を、例えば利用者の好みにさらに合致した情報とすることができ、表示する画像を、利用者の好みにより合致したものとすることが可能になる。
【００４８】
また、本発明に係る表示装置では、上記識別情報格納手段は、上記識別情報取得手段が上記識別情報を取得したときに上記表示制御手段から得られる上記表示制御情報と、取得した上記識別情報とを対応付けて上記記憶部に格納することが好ましい。
【００４９】
上記の構成であれば、識別情報格納手段は、表示制御情報を容易に取得することができる。例えば、表示装置がテレビジョン受像機であれば、その時点で表示部に表示している番組のジャンルを示す情報などを表示制御情報として取得することができる。
【００５０】
また、本発明に係る表示装置では、上記閾値は、１以上の整数であることが好ましい。
【００５１】
上記の構成であれば、表示装置を一度だけ操作した利用者の識別情報を記憶することを防止することができ、表示装置をある程度高い頻度で操作する利用者の識別情報のみを記憶することができる。
【００５２】
また、本発明に係る表示装置では、利用者の身体的な特徴を表す画像を撮像可能な撮像部をさらに備え、上記識別情報取得手段は、上記撮像部によって撮像された画像から上記識別情報を取得することが好ましい。
【００５３】
上記の構成であれば、利用者の身体情報を容易に取得することが可能になる。
【００５４】
また、本発明に係るテレビジョン受像機は、上記の本発明に係る表示装置を備えることを特徴としている。
【００５５】
なお、本発明に係る上記表示装置は、コンピュータによって実現してもよい。この場合、コンピュータを上記表示装置として動作させることにより、上記表示装置をコンピュータにおいて実現するプログラム、および、そのプログラムを記録したコンピュータ読み取り可能な記録媒体も、本発明の範疇に含まれる。
【００５６】
本発明に係る遠隔操作装置は、上記課題を解決するために、表示装置へ信号を送信する信号送信部を備える遠隔操作装置であって、自装置を操作しているユーザを特定するためのユーザ情報を取得するユーザ情報取得手段と、該ユーザ情報を上記信号送信部を介して上記表示装置に送信するユーザ情報送信手段を備えていることを特徴としている。
【００５７】
また、本発明に係る遠隔操作装置の制御方法は、上記課題を解決するために、表示装置へ信号を送信する信号送信部を備える遠隔操作装置の制御方法であって、自装置を操作しているユーザを特定するためのユーザ情報を取得するユーザ情報取得ステップと、上記ユーザ情報取得ステップにて取得したユーザ情報を、上記信号送信部を介して上記表示装置に送信する信号送信ステップと、を含むことを特徴としている。
【００５８】
上記の構成、及び、方法によれば、自装置を操作しているユーザを特定するためのユーザ情報が取得され、上記ユーザ情報をユーザ情報信号として表示装置に送信される。
【００５９】
ここで、遠隔操作装置を使用しているユーザは、上記表示装置を用いて映像を視聴したいと強く思っている主たる視聴者である場合が多い。
【００６０】
従って、本発明に係る遠隔操作装置は、自装置を利用している主たる視聴者を特定するためのユーザ情報を表示装置に送信することができ、表示装置は主たる視聴者の好みに合った画質で映像を表示できる。
【００６１】
本発明に係る遠隔操作装置では、自装置を操作するユーザの顔を撮影可能なカメラを備え、上記ユーザ情報取得手段は、上記カメラで撮影した画像から自装置を操作するユーザの顔の特徴点を示す情報を、上記ユーザ情報として取得する手段であってもよい。
【００６２】
上記構成によれば、遠隔操作装置は、備えられたカメラより遠隔操作装置の近くに位置するユーザを特定でき、特定されたユーザの顔の特徴点をユーザ情報として取得する。取得した上記ユーザ情報は、上記信号送信部を介して上記表示装置に送信する。表示装置は受け取ったユーザ情報より、該ユーザの設定値で映像を表示する。
【００６３】
従って、遠隔操作装置は、ユーザ表示装置より離れている場所にいた場合であっても、ユーザが操作している遠隔操作装置に備えられたカメラにて撮影された画像から、ユーザを特定するユーザ情報を取得し、取得したユーザ情報を表示装置に送信することができる。
【００６４】
本発明に係る遠隔操作装置では、自装置を操作するユーザから指紋の情報を取得する指紋センサを備え、上記ユーザ情報取得手段は、上記指紋センサで取得したユーザの指紋の情報から自装置を操作するユーザの指紋の情報を、上記ユーザ情報として取得してもよい。
【００６５】
上記構成によれば、遠隔操作装置は、指紋センサを用いて取得したユーザの指紋の情報より、遠隔操作装置を操作しているユーザを特定でき、特定されたユーザの指紋の情報を、上記ユーザ情報として取得する。取得した上記ユーザ情報は、上記信号送信部を介して上記表示装置に送信する。表示装置は受け取ったユーザ情報より、該ユーザの設定値で映像を表示する。
【００６６】
従って、各ユーザは使用している遠隔操作装置に指紋を読み込ませる操作のみ行うことにより、表示装置にユーザの好みに合った画質の映像を表示させることができるため、ユーザの利便性が向上する。
【００６７】
また、本発明に係る上記遠隔操作装置は、コンピュータによって実現してもよい。この場合、コンピュータを上記遠隔操作装置として動作させることにより、上記遠隔操作装置をコンピュータにおいて実現するプログラム、および、そのプログラムを記録したコンピュータ読み取り可能な記録媒体も、本発明の範疇に含まれる。
【発明の効果】
【００６８】
以上のように、本発明に係る表示装置は、上記課題を解決するために、映像を表示する表示部と遠隔操作装置からの信号を受け付ける受付部とを備える表示装置であって、上記映像の画質を調整し、調整された映像を上記表示部に表示する画質調整部と、上記遠隔操作装置の最も近くに位置するユーザを特定するためのユーザ情報を取得するユーザ情報取得手段と、上記ユーザ情報に関連付けられている、上記画質調整部が上記画質を調整するための設定値を記録している記録部から、上記ユーザ情報取得手段が取得したユーザ情報に対応する上記設定値を取得し、取得した設定値で上記画質を調整するように上記画質調整部に指示する画質調整指示手段とを備えていることを特徴としている。
【００６９】
また、本発明に係る表示装置の制御方法は、上記課題を解決するために、映像を表示する表示部と、上記映像の画質を調整し、調整された映像を上記表示部に表示する画質調整部と、遠隔操作装置からの信号を受け付ける受付部とを備える表示装置の制御方法であって、上記遠隔操作装置の最も近くに位置するユーザを特定するためのユーザ情報を取得するユーザ情報取得ステップと、上記ユーザ情報に関連付けられている、上記画質調整部が上記画質を調整するための設定値を記録している記録部から、上記ユーザ情報取得ステップにて取得したユーザ情報に対応する上記設定値を取得し、取得した設定値で上記画質を調整するように上記画質調整部に指示する調整指示ステップと、を含むことを特徴としている。
【００７０】
従って、本発明に係る表示装置は、自装置を利用している主たる視聴者の好みに合った画質で映像を表示できるという効果を奏する。
【００７１】
また、本発明に係る表示装置は、以上のように、利用者に応じた画像を表示部に表示する表示装置であって、利用者の身体的な特徴を表すとともに利用者を識別可能な識別情報と、利用者に応じた画像を上記表示部に表示させるための表示制御情報とを対応付けて記憶する記憶部と、上記識別情報を、利用者の操作を要さずに、利用者から取得する識別情報取得手段と、上記識別情報取得手段によって取得された上記識別情報が上記記憶部に記憶されているとき、取得された上記識別情報と対応付けて上記記憶部に記憶されている上記表示制御情報に従って、上記表示部に画像を表示させる表示制御手段とを備えるとともに、上記識別情報取得手段によって取得された上記識別情報が上記記憶部に記憶されておらず、かつ、当該識別情報の取得回数が予め定められた閾値を超えたとき、当該識別情報と上記表示制御情報とを対応付けて上記記憶部に格納する識別情報格納手段を備えるので、利用者登録に要する利用者の手間を低減することができる。
【００７２】
本発明に係る遠隔操作装置は、上記課題を解決するために、表示装置へ信号を送信する信号送信部を備える遠隔操作装置であって、自装置を操作しているユーザを特定するためのユーザ情報を取得するユーザ情報取得手段と、該ユーザ情報を上記信号送信部を介して上記表示装置に送信するユーザ情報送信手段を備えていることを特徴としている。
【００７３】
また、本発明に係る遠隔操作装置の制御方法は、上記課題を解決するために、表示装置へ信号を送信する信号送信部を備える遠隔操作装置の制御方法であって、自装置を操作しているユーザを特定するためのユーザ情報を取得するユーザ情報取得ステップと、上記ユーザ情報取得ステップにて取得したユーザ情報を、上記信号送信部を介して上記表示装置に送信する信号送信ステップと、を含むことを特徴としている。
【００７４】
従って、本発明に係る遠隔操作装置は、自装置を利用している主たる視聴者を特定するためのユーザ情報を表示装置に送信することができ、表示装置は主たる視聴者の好みに合った画質で映像を表示できる。
【図面の簡単な説明】
【００７５】
【図１】本発明の第１の実施形態に係る表示装置の構成を示す図である。
【図２】上記表示装置の主制御部における、画質、および、ユーザ特定の処理の流れを示すフローチャートである。
【図３】上記表示装置の表示部に表示されるユーザ登録画面の一例を示す図である。
【図４】上記表示装置の記録部に記録された画像情報の一例を示す図である。
【図５】上記表示装置の記録部に記録された画質調整値の他の例を示す図である。
【図６】上記表示装置が備える主制御部における、ユーザ特定の処理の流れを示すフローチャートである。
【図７】本発明の第２の実施形態に係る表示装置の構成を示す図である。
【図８】上記表示装置が備える主制御部における、ユーザ特定の処理の流れを示すフローチャートである。
【図９】本発明の第３の実施形態に係る遠隔操作装置及び表示装置の構成を示す図である。
【図１０】本発明の第４の実施形態に係る表示装置の構成を示す図である。
【図１１】上記表示装置が備える主制御部における、ユーザ特定に関する処理の流れを示すフローチャートである。
【図１２】本発明の第５の実施形態に係る遠隔操作装置及び表示装置の構成を示す図である。
【図１３】本発明に係る表示装置の別の実施形態の構成を示す図である。
【図１４】本発明に係る表示装置の別の実施形態の構成を示す図である。
【図１５】本発明の第６の実施形態に係る表示装置の構成を示すブロック図である。
【図１６】図１５に示した表示装置における処理の流れの一例を示すフローチャートである。
【図１７】図１５に示した表示装置の表示部が表示する画面の一例を示す模式図である。
【図１８】図１５に示した表示装置の表示部が表示する画面の一例を示す模式図である。
【図１９】図１５に示した表示装置の表示部が表示する画面の一例を示す模式図である。
【図２０】図１５に示した表示装置の表示部が表示する画面の一例を示す模式図である。
【図２１】図１５に示した表示装置の表示部が表示する画面の一例を示す模式図である。
【図２２】図１５に示した表示装置において、登録者用記憶部から表示制御情報を取得する流れの一例を示す模式図である。
【図２３】本発明に係る表示装置の別の実施形態の構成を示す図である。
【発明を実施するための形態】
【００７６】
＜実施形態１＞
本発明に係る第１の実施形態について、図１から図６に基づいて説明すれば、以下の通りである。
【００７７】
本実施形態では、遠隔操作装置の位置を特定し、遠隔操作装置の位置より遠隔操作装置を使用しているユーザを特定し、特定されたユーザが設定している画質で映像を表示する方法を以下に説明する。
【００７８】
〔表示装置の構成〕
まず、表示装置１０の構成について、図１を参照して以下に説明する。図１は、表示装置１０の構成を示す図である。
【００７９】
図１に示すように、表示装置１０は、リモコン受光部（受付部）２０、記録部２１、画質調整部２２、表示部２３、カメラ２５、及び、主制御部１００を備えている。また、主制御部１００は、指示取得部１１０、画質設定部１２０、ユーザ特定部（ユーザ情報取得手段）１３０、ジャンル取得部（ジャンル取得手段）１４０、画質調整部（画質調整指示手段）１５０、顔抽出部１６０、及び、リモコン認識部１７０を備えている。また、表示装置１０は、表示装置１０に対応付けられた遠隔操作装置（リモコン）３０からの信号（リモコン信号）を受信可能に構成されている。
【００８０】
リモコン受光部２０は、リモコン３０からのリモコン信号を受信する。リモコン信号の受信は、例えば、赤外線などの光で受信することができるが、これに限定されるものではない。リモコン受光部２０は、受信したリモコン信号を、主制御部１００に通知する。
【００８１】
記録部２１は、各種データおよびプログラムを記憶するものである。記録部２１の例としては、主制御部１００が動作するときに必要なプログラム等の固定データを記憶する読出し専用の半導体メモリであるＲＯＭ（Ｒｅａｄ  Ｏｎｌｙ  Ｍｅｍｏｒｙ）と、演算に使用するデータ及び演算結果等を一時的に記憶するいわゆるワーキングメモリとしてのＲＡＭ（Ｒａｎｄｏｍ  Ａｃｃｅｓｓ  Ｍｅｍｏｒｙ）とが挙げられる。また、記録部２１は、画質調整値、及び、ユーザ情報を記憶する。ここで、画質調整値とは、画質調整部２２が画質を調整するための設定値であり、ユーザ情報とは、画質調整値を設定したユーザの顔を特定するために顔画像から抽出した顔の特徴点を示すユーザ顔情報、及び、該ユーザのユーザ名である。本実施形態では表示装置１０が記録部２１を内蔵する場合について説明するが、本発明に係る表示装置は記録部を内蔵する形態に限定されるものではない。記録部は、本発明に係る表示装置に内蔵されていてもよいし、外付けであってもよい。また、記録部はインターネット上に置かれたサーバ等に備えられるものであってもよい。
【００８２】
画質調整部２２は、デジタル及びアナログ放送により受信したコンテンツ、ＤＶＤ、ＢＤ、及びＨＤＤなどの記録媒体から取得したコンテンツ、ネットワークを介して取得したコンテンツなどの映像信号を表示部２３に供給する。また、画質調整部２２は、主制御部１００から取得した画質調整値に基づいて映像信号の画質を調整し、調整した調整済映像信号を表示部２３に供給する。
【００８３】
表示部２３は、画質調整部２２からの映像信号に基づいて映像を表示する。具体的には、表示部２３は、ＬＣＤ、ＥＬ（Ｅｌｅｃｔｒｏｌｕｍｉｎｅｓｃｅｎｃｅ）ディスプレイ、ＰＤＰ（Ｐｌａｓｍａ  Ｄｉｓｐｌａｙ  Ｐａｎｅｌ）などの表示素子と、受信した映像信号に基づいて表示素子を駆動するドライバ回路とを備える構成である。なお、映像には、絵や図形の他、文字も含まれ、また、静止画および動画も含まれる。
【００８４】
カメラ２５は、表示装置１０に備えられており、表示装置１０を視ているユーザを特定するために、表示装置１０の正面方向を撮影するものである。具体的には、表示装置１０は、リモコン３０およびリモコン３０を操作するユーザの顔を少なくとも撮影可能な場所にカメラ２５を備えている。カメラ２５は、撮影画像情報を主制御部１００の顔抽出部１６０に通知する。なお、カメラ２５には、例えば、ＣＣＤ（Ｃｈａｒｇｅ  Ｃｏｕｐｌｅｄ  Ｄｅｖｉｃｅ）カメラを用いればよいが、これに限定されるものではない。
【００８５】
主制御部１００は、表示装置１０の各種構成を統括的に制御するものである。主制御部１００の機能は、例えばＲＡＭやフラッシュメモリなどの記憶装置に記憶されたプログラムをＣＰＵ（Ｃｅｎｔｒａｌ  Ｐｒｏｃｅｓｓｉｎｇ  Ｕｎｉｔ）が実行することによって実現される。主制御部１００が備える指示取得部１１０、画質設定部１２０、ユーザ特定部１３０、ジャンル取得部１４０、画質調整部１５０、顔抽出部１６０、及び、リモコン認識部１７０について、以下に説明する。
【００８６】
指示取得部１１０は、リモコン３０の操作によるユーザからの指示（リモコン信号）を、リモコン受光部２０から取得する。指示取得部１１０は、取得したリモコン信号に応じて、画質設定部１２０、ユーザ特定部１３０、顔抽出部１６０、及び、リモコン認識部１７０に操作指示を通知する。具体的には、指示取得部１１０は、取得したリモコン信号が画質調整値の設定に関する信号である場合、画質設定部１２０に操作指示を通知し、ユーザ登録に関する信号である場合、画質設定部１２０に操作指示を通知し、ユーザの特定に関する信号である場合、ユーザ特定部１３０に操作指示を通知する。また、ユーザ顔情報を登録する信号である場合、顔抽出部１６０に操作指示を通知し、ユーザ顔情報よりユーザを特定する信号である場合、顔抽出部１６０に操作指示を通知し、リモコンの位置を認識する信号である場合、リモコン認識部１７０に操作指示を通知する。画質調整値の設定に関する信号、ユーザ登録に関する信号、及び、ユーザの特定に関する信号としては、例えば、画質調整値を設定する画面（画質設定画面）を表示する旨の信号（設定画面表示指示）、ユーザ名の登録を行う旨の信号（ユーザ名登録指示）、及び、登録されているユーザのうち、どのユーザであるかを選択する（ユーザ選択操作）旨の信号（ユーザ選択指示）などを、それぞれ挙げることができる。また、ユーザの顔情報を登録する信号、ユーザ顔情報よりユーザを特定する信号、及び、リモコンの位置を認識する信号としては、例えば、ユーザ顔情報を登録する信号（顔情報抽出指示）、ユーザ顔情報を用いてユーザを特定する信号（特徴抽出指示）、及び、撮影された画像からリモコン３０を認識する旨の信号（リモコン認識指示）などを、それぞれ挙げることができる。
【００８７】
リモコン認識部１７０は、指示取得部１１０から取得したリモコン認識指示を取得したとき、カメラ２５から撮影画像情報を受信し、受信した撮影画像情報から、表示装置１０に対応付けられたリモコン３０の位置を認識するものである。リモコン認識部１７０は、リモコン３０の位置が認識された撮影画像情報とリモコンの位置を示すリモコン位置情報を、顔抽出部１６０に送信する。
【００８８】
顔抽出部１６０は、ユーザの顔を登録するとき、指示取得部１１０から取得した顔情報抽出指示より、カメラ２５から撮影画像情報を受信し、受信した撮影画像情報から、輪郭や目じりの位置など、顔の特徴点を抽出するものである。顔抽出部１６０は、抽出した顔の特徴点の情報を、ユーザ顔情報として、画質設定部１２０に通知する。
【００８９】
また、顔抽出部１６０は、ユーザを特定するとき、指示取得部１１０から取得した特徴抽出指示より、リモコン認識部１７０から撮影画像情報を受信し、受信した撮影画像情報から、ユーザの顔の特徴点を抽出するものである。また、顔抽出部１６０は、抽出した顔情報とリモコン認識部１７０から取得したリモコン位置情報より、リモコン３０に最も近い場所に位置するユーザの顔の特徴点情報を抽出する。顔抽出部１６０は、抽出した顔の特徴点の情報を、ユーザ顔情報として、ユーザ特定部１３０に通知する。
【００９０】
なお、顔の特徴点を抽出する方法は公知であるので、その説明を省略する。
【００９１】
画質設定部１２０は、映像のジャンルに応じて、画質調整値の設定を行い、設定した画質調整値に関連付けてユーザ情報を登録する手段である。具体的には、画質設定部１２０は、設定画面表示指示を指示取得部１１０から取得すると、画質調整部２２に、画質設定画面を表示するように通知する。また、画質設定部１２０は、取得した画質設定指示に従って画質調整値を設定する。画質設定部１２０は、設定した画質調整値をジャンル情報に関連付け、対応情報として記録部２１に記録する。
【００９２】
また、画質設定部１２０は、指示取得部１１０から取得した、ユーザ名を登録する画面（ユーザ登録画面）を表示する指示に基づいて、ユーザ登録画面を表示させる。画質設定部１２０は、指示取得部１１０から取得したユーザ名登録指示に基づいてユーザ名を取得する。また、画質設定部１２０は、顔抽出部１６０からのユーザ顔情報を取得する。取得したユーザ名、及び、ユーザ顔情報をユーザ情報として上記対応情報に関連付けて記録部２１に記録する。
【００９３】
ユーザ特定部１３０は、記録部２１に記録されているユーザのうち、どのユーザがリモコン３０を利用しているかを特定し、そのユーザを特定するユーザ情報を取得する手段である。具体的には、ユーザ特定部１３０は、顔抽出部１６０からのユーザ顔情報を取得し、取得したユーザ顔情報と、記録部２１に記録されているユーザ顔情報とを照合する。なお、この照合方法は公知であるので、その説明を省略する。照合した結果得られた値より、記録部２１に記録されているユーザ顔情報の何れかと、顔抽出部１６０から取得したユーザ顔情報との一致率が予め定められた値よりも高い（一致率が高い）場合、一致率が高いユーザ顔情報を含むユーザ情報を記録部２１から取得する。ユーザ特定部１３０は、取得したユーザ情報を画質調整部１５０に通知する。
【００９４】
なお、ユーザ特定部１３０は、読み出したユーザ情報を、画質調整部１５０に通知すると共に、ユーザ情報に含まれるユーザ名を表示部２３に表示するようにしてもよい。
【００９５】
ジャンル取得部１４０は、表示装置１０に入力された映像信号からジャンル情報を取得する手段である。ここで、ジャンル情報とは、映像のジャンルを示す情報である。なお、ジャンル情報を取得する方法としては、映像信号がデジタル放送である場合、ＥＰＧ（Ｅｌｅｃｔｒｏｎｉｃ  Ｐｒｏｇｒａｍ  Ｇｕｉｄｅ）データに含まれるジャンル情報を取得する方法、また、映像信号の特徴からジャンル情報を取得する方法などが挙げられる。
【００９６】
画質調整部１５０は、ユーザ特定部１３０によって特定されたユーザのユーザ情報とジャンル取得部１４０にて取得したジャンル情報に対応して、記録部２１に記録されている画質調整値を基に画質を調整するように画質調整部２２に指示する手段である。具体的には、画質調整部１５０は、ユーザ特定部１３０から、リモコン３０を使用しているユーザのユーザ情報を取得し、ジャンル取得部１４０から、表示装置１０に入力された映像信号のジャンル情報を取得する。画質調整部１５０は、取得したユーザ情報とジャンル情報に対応する画質調整値を、記録部２１から読み出す。画質調整部１５０は、読み出した画質調整値を、画質調整部２２に通知する。その結果、リモコン３０を使用しているユーザの好みに合った画質で映像を表示することができる。
【００９７】
〔制御部の動作〕
本実施形態に係る表示装置１０が備える主制御部１００の画質、及び、ユーザ設定の動作について、図２から図６を用いて以下に説明する。図２は、本実施形態に係る表示装置１０が備える主制御部１００の、画質、及び、ユーザの設定に関する処理の流れを示すフローチャートである。
【００９８】
（画質／ユーザ設定処理）
図２に示すように、画質調整値の設定を行うメニュー画面を表示するように通知を受けると、画質設定部１２０は、表示部２３にかんたん設定を行うか否かを選択する選択画面を表示する（ステップＳ１）。かんたん設定を行うことが選択された場合（ステップＳ１においてＹＥＳ）、ユーザによる「かんたん設定」の操作を受け付ける（ステップＳ２）。
【００９９】
ここで、「かんたん設定」とは、複数の画質情報（かんたん設定を行うために、予めサンプル画像に適応されている画質調整設値）より画質調整をしたサンプル画像を表示部２３に表示し、複数のサンプル画像の中からユーザによって選択された１つの画像の画質情報により、画質調整値の設定を行う設定方法である。このようにサンプル画像を提示することで、ユーザは、好みの画像を直感的に選択することができる。
【０１００】
より具体的には、本実施形態では、１つのジャンル毎に３枚のサンプル画像を提示し、３種類のジャンルについて行う。３種類のジャンルとは、「フィルム」、「ビデオ」、「スポーツ」である。「フィルム」とは、フィルム由来であることを示し、２４Ｈｚで撮影されたコンテンツを３：２プルダウン処理したコンテンツのジャンルである。「ビデオ」とは６０Ｈｚの通常放送に由来するコンテンツのジャンルである。「スポーツ」とは、ＥＰＧデータにより、スポーツのジャンル情報が関連付けられているコンテンツのジャンルである。サンプル画像は、それぞれ異なるパターンで調整されている。なお、ジャンル情報としては「ビデオ」、「フィルム」、「スポーツ」の３種類に限定されるものではなく、「ニュース／報道」、「情報／ワイドショー」、「バラエティ」、「映画」等の様々なジャンルを識別できるように構成してもよい。
【０１０１】
３種類のサンプル画像は、パターン１〜パターン３まで、色飽和度、シャープネス及びガンマが調整されており、このパターン１〜パターン３で処理された３枚のサンプル画像が、ジャンル毎に表示される。画質設定部１２０は、表示された３種類のサンプル画像のうちジャンル毎に１枚ずつ選択された、３枚の画像情報をそれぞれジャンル情報と関連付けて記録部２１に記録する。
【０１０２】
なお、ここで説明する例において、パターン２は標準的な画質調整を行うメーカ推奨のパターンであり、パターン１はいわゆる「あっさり」な画質調整を行うパターンであり、パターン３はいわゆる「こってり」な画質調整を行うパターンである。「あっさり」であるとは、例えば、色飽和度でいえば色調が穏やかであることを意味し、シャープネスでいえば輪郭がより曖昧であり穏やかな画調であることを意味し、ガンマでいえば直線であるか又はＳ字特性がより弱いことを意味する。また、「こってり」であるとは、例えば、色飽和度でいえば色がより鮮やかであることを意味し、シャープネスでいえば輪郭がより強調されることを意味し（０が初期値であり＋の値が大きいほどシャープネスが強くなる）、ガンマで言えば、Ｓ字特性がより強いことを意味する。
【０１０３】
また、以上の説明では、かんたん設定を行う際に、サンプル画像を提示する形態について説明したが、サンプル画像の代わりに、「色飽和度を、（１）あっさり、（２）普通、（３）こってりのどれにしますか」といった説明文を表示してもよい。このように、かんたん設定時には、候補の画質情報で調整した画像又は説明文を表示すればよい。
【０１０４】
かんたん設定を行わないことが選択された場合（ステップＳ１においてＮＯ）、ユーザによる「プロ設定」の操作を受け付ける（ステップＳ３）。ここで、「プロ設定」とは、ユーザの好みに応じて、ユーザ自身によってかんたん設定よりもさらに細かい画質調整値の設定を行う設定方法である。つまり、画質に対してより詳しい知識を持ったユーザ向けの設定である。
【０１０５】
プロ設定の対象のジャンルを選択すると、画質のパラメータを調整する画面に、輝度レベル、黒レベル、色濃さ、色合い、シャープネスを調整するための調整バーが表示され、ユーザはリモコンを介して、各パラメータを調整する指示を送る。画質設定部１２０は、設定された各パラメータの値（画質調整値）をそれぞれジャンル情報と関連付けて記録部２１に記録する。なお、本実施形態では画質を調整するパラメータとして、輝度レベル、黒レベル、色濃さ、色合い、及び、シャープネスを例に説明したが、これらに限定されるものではない。なお、本実施形態では、かんたん設定を行わない場合にプロ設定を行う構成を例に挙げて説明したが、これに限定されるものではなく、例えば、かんたん設定を行った後に、さらにプロ設定を行う構成を採用してもよい。
【０１０６】
かんたん設定（ステップＳ２）を行った後、又は、プロ設定（ステップＳ３）を行った後、ユーザ登録の操作を受け付ける（ステップＳ４）。図３に、本実施形態におけるユーザ登録画面の一例を示す。図３に示すように、画質設定部１２０は、リモコン３０の操作による、ユーザ名の入力を受け付ける。ユーザ名は、例えば、お父さん、お母さん、子供１、子供２などが挙げられるが、これに限定されるものではない。また、画質設定部１２０は、顔抽出部１６０から通知されるユーザ顔情報を取得する。画質設定部１２０は、入力されたユーザ名、及び、ユーザ顔情報を、ステップＳ２、及びステップＳ３において記録されたジャンル毎の画質調整値と関連づけて記録部２１に記録する。なお、画質設定部１２０がユーザ名の入力を受け付ける構成について示したが、これに限定されるものではなく、予め設定されているユーザ名を選択する構成としてもよい。
【０１０７】
図４に、かんたん設定によってユーザ毎に設定された画像情報の一例の図を示す。図４に示すように、記録部２１には、ステップＳ４で設定されたユーザが記録されており、ユーザそれぞれに関連付けられてステップＳ２で設定された３種類のジャンルのそれぞれに対する３枚のサンプル画像のうち１枚が記録されている。
【０１０８】
また、図５に、プロ設定によって、ユーザ毎に設定された画質調整値の一例の図を示す。図５に示すように、記録部２１には、ステップＳ４で設定されたユーザが記録されており、ユーザそれぞれに関連付けられてステップＳ３で設定された３種類のジャンルのそれぞれに対する画質調整値が記録されている。
【０１０９】
（ユーザ特定処理）
表示装置１０が備える主制御部１００の、ユーザ特定の処理（ユーザ特定処理）の動作について、図６を用いて以下に説明する。図６は、本実施形態に係る表示装置１０が備える主制御部１００の、ユーザの特定の処理の流れを示すフローチャートである。
【０１１０】
図６に示すように、表示装置１０がリモコン３０からの信号を取得する（ステップＳ１１）と、リモコン認識部１７０はリモコン３０の位置を、カメラ２５にて撮影された画像より特定する（ステップＳ１２）。リモコン３０の位置を特定後、顔抽出部１６０は、ステップＳ１２で使用した撮影画像からリモコン３０の近傍に位置するユーザの顔の特徴点を抽出する（ステップＳ１３）。なお、ユーザの顔の特徴点を抽出する範囲は、撮影画像全体でもよいし、焦点距離などの設定から決められたある一定の範囲でもよい。顔抽出部１６０は、ステップＳ１２で特定したリモコン３０の位置と、ステップＳ１３で抽出したユーザの特徴点との距離からリモコン３０に最も近い場所に位置する１人のユーザの顔の特徴点を抽出する（ステップＳ１４）。ユーザ特定部１３０は、ステップＳ１４で抽出したユーザの特徴点と、記録部２１に記録されているユーザ情報に含まれるユーザ顔情報とを照合し、一致率の高いユーザ顔情報を含むユーザ情報を特定する（ステップＳ１５）。
【０１１１】
リモコン３０に最も近い場所に位置するユーザを特定すると、ユーザ特定部１３０は、特定されたユーザが設定している画質調整値を反映するか否かを問い合わせるダイアログを、表示部２３に表示する。表示されるダイアログには、例えば、「お父さんが認識されました。お好み画質設定のユーザ設定を反映しますか」というメッセージと共に、「はい」「いいえ」という選択肢が表示される。ユーザ特定部１３０は、リモコン３０の操作によって、「はい」「いいえ」を選択することによるユーザからの指示に従って、特定されたユーザが設定している画質調整値を反映するか否かを決定する（ステップＳ１６）。なお、ダイアログに表示されるメッセージ、及び、選択肢は、これに限定されるものではない。一方、画質調整値を反映しない旨の指示を取得した場合（ステップＳ１６においてＮＯ）、この動作を終了する。
【０１１２】
ステップＳ１５でユーザが特定できなかった場合、ユーザ特定部１３０は、ユーザが特定できなかったメッセージと、メーカ推奨の画質調整値を反映する旨のメッセージ、ステップＳ１からステップＳ４までの画質／ユーザ設定処理を実行する旨のメッセージ、及び、他のユーザの画質調整値を反映する旨のメッセージなどを表示してもよい。なお、ユーザが特定できなかった場合の処理はこれに限定されるものではないし、表示されるメッセージはこれに限定されるものではない。
【０１１３】
特定されたユーザが設定している画質調整値を反映する旨の指示を取得した場合（ステップＳ１６においてＹＥＳ）、画質調整部１５０は、特定されたユーザの画質調整値とジャンル取得部１４０から取得したジャンル情報とに対して記録されている画質調整値を、記録部２１から読み出し、読み出した画質調整値に基づいて画質を調整する旨を画質調整部２２に通知する。画質調整部２２は、取得した画質調整値に基づいて、表示装置１０に入力される映像信号を調整し、表示部２３に表示する（ステップＳ１７）。
【０１１４】
例えば、表示装置１０を利用しているユーザが４人であり、リモコン３０をお父さんが持っていた場合において、お父さんがリモコンを使用してスポーツ番組にチャンネルを変更したとき、ユーザ名がお父さんでジャンルがスポーツの画質調整値は、図５より、輝度レベル＋５、黒レベル０、色の濃さ＋１０、色合い０、シャープネス＋４と、設定されていることがわかる。これらの画質調整値を画質調整部１５０は、画質調整部２２に通知する。
【０１１５】
上記構成によって、リモコン３０の最も近くに位置するユーザが特定でき、該ユーザが自ら、記録部２１に記録されているユーザのうちどのユーザがリモコン３０を使用しているのかを選択する手間を省くことができる。また、特定されたユーザの好みに合った画質で映像を表示することができる。
【０１１６】
つまり、上記例において、リモコンを使用しているがお父さんが特定でき、お父さんが設定しているジャンルがスポーツの画質設定値で調整された映像を自動的に表示することができる。
【０１１７】
ここで、リモコン３０の最も近くに位置するユーザは、リモコン３０を使用しているユーザである場合が多い。また、リモコン３０を使用しているユーザは、上記映像を視聴したいと強く思っている主たる視聴者である場合が多い。
【０１１８】
従って、表示装置１０は、主たる視聴者の好みに合った画質で映像を表示できる。
【０１１９】
また、上記構成によって、表示装置１０を利用しているユーザが１人の場合においても、複数の場合においても、表示装置１０は、リモコン３０を使用しているユーザの好みの画質で映像信号を表示することができる。
【０１２０】
また、表示装置１０は、リモコン３０からの信号を受信した時、リモコン３０を使用しているユーザの特定を行う。そのため、表示装置１０は、一定のタイミングでユーザ特定処理を行う場合と比べ、表示装置１０が消費する電力を低下させることができる。
【０１２１】
また、表示装置１０を利用しているユーザが１人の場合においては、他の認識方法を用いてユーザ特定処理を行い、表示装置１０を利用しているユーザが複数の場合に、本実施形態にてユーザ特定処理を行う構成としてもよい。具体的には、ステップＳ１３にて、リモコン３０の周辺にいるユーザの顔の特徴点が１人分抽出された場合は、実施形態２〜５のユーザ特定処理を用い、２人以上の場合は、本実施形態のユーザ特定処理を用いてリモコン３０の最も近くにいるユーザを特定する。
【０１２２】
これにより、表示装置１０を利用しているユーザが１人の場合、リモコン３０の最も近くにいるユーザのユーザ顔情報の抽出などの処理が不要となるため、少ない計算量でユーザを特定することが可能となる。
【０１２３】
また、リモコン３０は、表示装置１０に付属のリモコンに限定されるものではない。つまり、表示装置１０に対応付けられているリモコンであれば、表示装置１０に付属のリモコンでなくてもよい。これにより、ユーザの好みのリモコンを用いた場合においても、ユーザの好みの画質で映像信号を表示することができる。
【０１２４】
なお、本実施形態では、ユーザ名、及び、ユーザ顔情報をユーザ情報として、画質調整値に関連付けて記録する構成を示したが、これに限定されるものではなく、例えば、ユーザ名を記録することなく、ユーザ顔情報と画質調整値とを関連付けて記録する構成を採用してもよい。
【０１２５】
なお、本実施形態では、画質調整値は、ユーザ情報とジャンル情報とに関連付けて記録する構成を示したが、これに限定されるものではなく、本発明に係る表示装置にて用いる設定値はユーザ情報に関連付けられていればよい。つまり、画質調整指示手段は、記録部から、ユーザ情報取得手段が取得したユーザ情報に対応する設定値を取得し、取得した設定値で上記画質を調整するように上記画質調整部に指示すればよい。
【０１２６】
〔その他の形態〕
実施形態１では、表示装置（テレビジョン受像機）１０の本体にカメラ２５を内蔵して、ユーザの顔を撮影する形態について説明したが、本発明はこれに限定されない。例えば図１３に示すように表示装置１０と外部カメラ４２とをＨＤＭＩレシーバ４１を介して、ＨＤＭＩ規格に準拠したインターフェイス手段により接続してもよい。また、図１３ではＨＤＭＩ規格を採用した場合について示しているが、ＵＳＢ規格、Ｗｉ−Ｆｉ規格、ＤＬＮＡ通信規格等に準拠したインターフェイス手段により接続を実現してもよい。
【０１２７】
また、図１４に示すように、外部カメラ４２は、カメラ付き携帯電話４３に搭載されたカメラであってもよい。図１４では、カメラ付き携帯電話４３はＨＤＭＩケーブル４４を介して表示装置１０に接続している。また、伝送路は有線であっても、無線であってもよい。
【０１２８】
また、表示装置１０の本体に備えたカメラ２５と外部カメラ４２との両方のカメラを併用してユーザの視聴位置を特定しユーザの顔検出制度を高くすることができる。
【０１２９】
さらに、図１３に示すように表示装置１０は人感センサ５１を備えてもよい。また、人感センサ５１の代わりに、又は、人感センサ５１と共に視線検出センサを備えてもよい。表示装置１０に人感センサ５１及び／又は視線検出センサを内蔵して、人の動き及び／又は視線を検出して、ユーザがいるときのみ、カメラで撮影するように主制御部１００を介して制御すれば、表示装置１０本体のカメラ駆動用の消費電力を削減することができる。
【０１３０】
また、カメラ２５の本体を回転及び追尾駆動式にして、人感センサ５１と連動させて、動くユーザの方向に追尾してユーザの顔を撮影するようにしてもよい。
【０１３１】
また、表示装置１０は、インターネットに接続した上で、Ｓｋｙｐｅ（登録商標）のソフトウェアを組み込んでＳｋｙｐｅ（登録商標）の機能を実現できるようにしてもよい。その場合、図１３に示すように表示装置１０は音声制御部６１、マイク６２、スピーカ６３をもさらに備えるとよい。そして、主制御部１００にＳｋｙｐｅ（登録商標）の機能を実現するためのソフトウェアを組み込むことによって、ユーザがＳｋｙｐｅ（登録商標）の機能を利用できる。具体的には、表示装置１０が、外部カメラ４２（又は実施形態１のような内蔵のカメラ２５）で撮影したユーザの姿及びマイク６２に吹き込まれたユーザにより発せられた音声を、インターネットを介して通話の相手に送信して、通話の相手から送信される通話の相手の姿を表示部２３に表示し、通話の相手の発する音声を表示装置１０本体のスピーカ６３又は表示装置１０本体のヘッドホン端子（図示しない）に接続された外部接続のヘッドホン（図示しない）から発すればよい。
【０１３２】
＜実施形態２＞
本発明の第２の実施形態について、図７から図８を用いて以下に説明する。なお、説明の便宜上、実施形態１に係る構成要素と同様の機能を有する構成要素には、同一の番号を付し、その説明を省略する。本実施形態では、主に、実施形態１との相違について説明する。
【０１３３】
実施形態１では、表示装置１０に備えられたカメラ２５にて撮影された画像より、リモコン３０を認識し、リモコン３０を使用しているユーザを、ユーザ顔情報を参照して特定した。本実施形態では、遠隔操作装置に備えられた指紋センサより取得されるユーザの指紋の情報を参照して、遠隔操作装置を使用しているユーザを特定する。
【０１３４】
具体的には、本実施形態では、遠隔操作装置にてユーザの指紋を読み取り、読み取ったユーザの指紋の情報を用いてユーザを特定し、特定されたユーザの好みの画質で映像を提供する方法を説明する。
【０１３５】
つまり、ユーザの特定は、ユーザ顔情報ではなく、ユーザの指紋画像（ユーザ指紋データ）を用いる。そのため、表示装置１１は、表示装置１０のカメラ２５、顔抽出部１６０、及び、リモコン認識部１７０の代わりに、リモコンに指紋センサ３１１を備える。また、画質設定部１２０及びユーザ特定部１３０は、ユーザの特定がユーザ顔情報ではなく、ユーザの指紋の情報を使用することに伴い、画質設定部１２１及びユーザ特定部１３１として主制御部１０１を構成している。
【０１３６】
〔表示装置の構成〕
まず、本実施形態に係る表示装置１１の構成について、図７を参照して以下に説明する。図７は、本実施形態に係る表示装置１１の構成を示す図である。
【０１３７】
図７に示すように、表示装置１１は、リモコン受光部２０、記録部２１、画質調整部２２、表示部２３、及び、主制御部１０１を備えている。また、主制御部１０１は、指示取得部１１０、画質設定部１２１、ユーザ特定部１３１、ジャンル取得部１４０、及び、画質調整部１５０を備えている。また、表示装置１１は、遠隔操作装置（リモコン）３１からの信号を受信可能に構成されている。
【０１３８】
リモコン３１は、ユーザによる操作に従った、リモコン信号をリモコン受光部２０に通知する。リモコン信号の通知は、例えば、赤外線などの光で通知することができるが、これに限定されるものではない。また、リモコン３１には、指紋センサ３１１が備えられている。リモコン３１は、指紋センサ３１１によって、ユーザの指紋を読み取る。リモコン３１は、指紋センサ３１１によって読み取ったユーザの指紋画像（ユーザ指紋データ）をリモコン受光部２０に供給する。リモコン受光部２０に供給されたユーザ指紋データは、指示取得部１１０を介して、画質設定部１２１、及び、ユーザ特定部１３１に供給される。
【０１３９】
画質設定部１２１は、映像のジャンルに応じて、画質調整値の設定を行い、設定した画質調整値に関連付けてユーザ情報を登録する手段である。ここで、ユーザ情報とは、ユーザ指紋情報、及び、ユーザ名を示す。また、ユーザ指紋情報とは、指紋の照合ができるユーザの指紋の情報を示し、例えば、ユーザの指紋画像（ユーザ指紋データ）、及び、ユーザ指紋データから抽出された特徴点の情報などを示す。
具体的には、画質設定部１２１は、設定画面表示指示を指示取得部１１０から取得すると、画質調整部２２に、画質設定画面を表示するように通知する。また、画質設定部１２１は、取得した画質設定指示に従って、画質調整値を設定する。画質設定部１２１は、ユーザ情報とジャンル情報とに関連付けて、設定した画質調整値を記録部２１に記録する。
【０１４０】
また、画質設定部１２１は、指示取得部１１０から取得した、ユーザ名を登録する画面（ユーザ登録画面）を表示する指示に基づいて、ユーザ登録情報を表示させる。画質設定部１２１は、指示取得部１１０から取得したユーザ名登録指示に基づいてユーザ名を取得する。さらに、画質設定部１２１は、指示取得部１１０からのユーザ指紋情報を取得する。取得したユーザ名、及び、ユーザ指紋情報をユーザ情報として上記対応情報に関連付けて記録部２１に記録する。ここで、ユーザ指紋情報として登録するユーザの指紋は、どの指でもよい。
【０１４１】
ユーザ特定部１３１は、記録部２１に記録されているユーザのうち、どのユーザがリモコン３０を利用しているかを特定し、そのユーザを特定するユーザ情報を取得する手段である。どのユーザがリモコン３１を持っているかを特定する手段である。具体的には、ユーザ特定部１３１は、指示取得部１１０からのユーザ指紋情報を取得すると、取得したユーザ指紋情報と記録部２１に記録されているユーザ情報に含まれるユーザ指紋情報とを照合する。照合した結果、記録部２１に記録されているユーザ指紋情報の何れかと指紋センサ３１１から取得したユーザ指紋情報との一致率が予め定められた値よりも高い場合、一致率が高いユーザ指紋情報を含むユーザ情報を記録部２１から読み出す。ユーザ特定部１３１は、読み出したユーザ情報を画質調整部１５０に通知する。
【０１４２】
〔制御部の動作〕
本実施形態に係る表示装置１１が備える主制御部１０１の動作について、以下に説明する。まず、本実施形態に係る表示装置１１が備える主制御部１０１の、画質、及び、ユーザの設定処理の動作について説明する。
【０１４３】
画質設定部１２１は、かんたん設定、又は、プロ設定を受け付けた後、ユーザ登録の操作を受け付ける。さらに、画質設定部１２１は、指紋センサ３１１からのユーザ指紋情報を取得する。画質設定部１２１は、入力されたユーザ名、及び、ユーザ指紋情報を、かんたん設定、又は、プロ設定において設定されたジャンル毎の画質調整値と関連付けて記録部２１に記録する。
【０１４４】
（ユーザ特定処理）
次に、本実施形態に係る表示装置１１が備える主制御部１０１の、ユーザの特定処理の動作について、図８を用いて説明する。図８は、本実施形態に係る表示装置１１が備える主制御部１０１の、ユーザ特定の処理の流れを示すフローチャートである。
【０１４５】
図８に示すように、表示装置１１がリモコン３１からの信号を取得する（ステップＳ２１）と、ユーザ特定部１３１は、表示部２３に、ユーザが設定している画質調整値を反映するか否かを問い合わせるダイアログを表示する。表示されるダイアログには、例えば、「お好み画質設定のユーザ設定を反映しますか」というメッセージとともに、「はい」「いいえ」の選択肢が表示される。ユーザ特定部１３１は、リモコン３１の操作によって「はい」「いいえ」を選択することによるユーザからの指示に従って、ユーザが設定している画質調整を反映するステップに進むか否かを決定する（ステップＳ２２）。なお、ダイアログに表示されるメッセージ、及び、選択肢は、これに限定されるものではない。画質調整値を反映しない旨の指示を取得した場合（ステップＳ２２においてＮＯ）、この動作を終了する。
【０１４６】
ユーザが設定している画質調整値を反映する旨の指示を取得した場合（ステップＳ２２においてＹＥＳ）、ユーザ特定部１３１は、表示部２３に、ユーザの指紋を指紋センサ３１１にて読み取らせる旨のダイアログを表示する（ステップＳ２３）。表示されるダイアログには、例えば、「指紋を登録している指を、指紋センサに置いてください」という内容のメッセージが表示される。なお、表示されるダイアログのメッセージは、これに限定されるものではない。
【０１４７】
ダイアログ表示後、ユーザ特定部１３１は、指紋センサ３１１からのユーザ指紋情報を基に、すでに記録部２１に記録されているユーザの中から一致率の高いユーザ指紋情報を特定する（ステップＳ２４）。ユーザ特定後、ユーザ特定部１３１は、表示部２３に、特定されたユーザがリモコン使用者と一致しているか否かを問い合わせるダイアログを表示する。表示されるダイアログには、例えば、「お好み画質設定対象は、お父さんですか」というメッセージとともに、「はい」「いいえ」の選択肢が表示される。ユーザ特定部１３１は、リモコン３１の操作によって「はい」「いいえ」を選択することによるユーザからの指示に従って、特定されたユーザが設定している画質調整を反映するか否かを決定する（ステップＳ２５）。なお、ダイアログに表示されるメッセージ、及び、選択肢は、これに限定されるものではない。ユーザ名が正しくない旨の指示を取得した場合（ステップＳ２５においてＮＯ）、再度、ステップＳ２２に戻る。この場合、ユーザ特定部１３１は、ユーザが特定できなかったメッセージと、メーカ推奨の画質調整値を反映する旨のメッセージ、及び、他のユーザの画質調整値を反映する旨のメッセージなどを表示してもよい。
【０１４８】
ユーザ名が正しい旨の指示を取得した場合（ステップＳ２５においてＹＥＳ）、画質調整部１５０は、特定されたユーザ指紋情報を含むユーザ情報に関連付けられている画質調整値を記録部２１から読み出し、読み出した画質調整値を画質調整部２２に通知する。画質調整部２２は、通知された画質調整値に基づいて映像信号を調整し、表示部２３に表示する（ステップＳ２６）。
【０１４９】
上記構成によって、ユーザが自ら、記録部２１に記録されているユーザのうちどのユーザがリモコン３１を利用しているのかを選択する手間を省くことができ、かつ、ユーザの好みの画質で映像信号を表示することができる。
【０１５０】
また、上記構成によって、表示装置１１を利用しているユーザが一人の場合においても、複数の場合においても、表示装置１１は、リモコン３１を使用しているユーザの好みの画質で映像信号を表示することができる。
【０１５１】
また、本実施形態において、表示装置１１は、リモコン３１からの信号を受信後、リモコン３１を使用しているユーザの特定を行う。そのため、表示装置１１が消費する電力を低下させることができる。
【０１５２】
なお、本実施形態では、指紋によってユーザの特定を行う構成を示したが、これに限定されるものではない。例えば、指紋センサの代わりに体脂肪率センサを用いて、体脂肪率によってユーザの特定を行う構成を採用してもよい。
【０１５３】
なお、本実施形態では、ユーザ名、及び、ユーザ指紋情報をユーザ情報として、画質調整値に関連付けて記録する構成を示したが、これに限定されるものではなく、例えば、指紋センサの代わりに体脂肪率センサを用いて、ユーザ情報として体脂肪率を登録し、登録されている体脂肪率と読み取った体脂肪率との比較によってユーザの特定を行う構成を採用してもよい。
【０１５４】
＜実施形態３＞
第２の実施形態においては、表示装置１１が備える主制御部１０１にて、ユーザの指紋情報を参照してユーザ特定処理を行う方法について説明したが、本発明はこれに限定されるものではない。つまり、ユーザの特定処理を行うのは、遠隔操作装置であってもよい。
【０１５５】
本実施形態では、遠隔操作装置にて、ユーザの指紋情報を用いてユーザ特定処理を行い、ユーザ特定処理の結果を表示装置１１のリモコン受光部２０に供給し、表示装置１１に特定されたユーザの好みにあった画質で映像を表示する方法を、図９を用いて以下に説明する。ここで、ユーザ情報とは、ユーザ指紋情報、及び、ユーザ名を示す。また、ユーザ指紋情報とは、指紋の照合ができるユーザの指紋の情報を示し、例えば、ユーザの指紋画像（ユーザ指紋データ）、及び、ユーザ指紋データから抽出された特徴点の情報などを示す。なお、説明の便宜上、実施形態２に係る構成要素と同様の機能を有する構成要素には、同一の番号を付し、その説明を省略する。
【０１５６】
〔遠隔操作装置の構成〕
図９は、本実施形態に係る遠隔操作装置（リモコン）３２と表示装置１１の構成を示す図である。
【０１５７】
なお、図９は、図７におけるリモコン３１に、ユーザの指紋を特定する機能を備えたリモコン３２の構成を示す図である。
【０１５８】
図９に示すように、リモコン３２は、指紋センサ３１１、ユーザ特定部３２２（ユーザ情報取得手段）、記録部３２３、及び、リモコン発光部３２４を備えている。
【０１５９】
記録部３２３は、各種データおよびプログラムを記憶するものである。記録部３２３は、ユーザ情報を記憶する。記録部３２３に記録されるユーザ情報は、表示装置１１の記録部２１に記録されているユーザ情報と同期を取っている。同期を取る方法としては、ステップＳ４のユーザ登録を実行する際に、指紋センサ３１１で読み取ったユーザ指紋情報を、表示装置１１の記録部２１と記録部３２３とに記録する方法でもよい。また、リモコン３２が信号の送信だけでなく受信も可能な双方向リモコンである場合、同期を取る方法は、表示装置１１の記録部２１に記録されているユーザ情報をリモコン３２が受信し、記録部３２３に記録する方法でもよい。
【０１６０】
ユーザ特定部３２２は、記録部３２３に記録されているユーザのうち、どのユーザがリモコン３２を利用しているかを特定する手段である。具体的には、ユーザ特定部３２２は、指紋センサ３１１からユーザ指紋情報を取得すると、取得したユーザ指紋情報と記録部３２３に記録されているユーザ指紋情報とを照合する。照合した結果、記録部３２３に記録されているユーザ指紋情報の何れかと指紋センサ３１１から取得したユーザ指紋情報との一致率が予め定められた値よりも高い場合、一致率が高いユーザ指紋情報を含むユーザ情報を記録部３２３から読み出す。
【０１６１】
リモコン発光部３２４は、ユーザ特定部３２２で特定されたユーザ情報を、表示装置１１のリモコン受光部２０に供給する。
【０１６２】
（ユーザ特定処理）
本実施形態に係るリモコン３２の、ユーザ特定処理の動作について、以下に説明する。本実施形態のユーザ特定処理は、図８におけるステップＳ２４に該当する。
【０１６３】
リモコン３２は、指紋センサ３１１によって、ユーザの指紋を読み取る。
【０１６４】
ユーザ特定部３２２は、読み取ったユーザ指紋情報を元に、すでに記録部３２３に記録されているユーザの中から一致率の高いユーザ指紋情報を含むユーザ情報を特定する。
【０１６５】
リモコン発光部３２４は、ユーザ特定部３２２で特定したユーザ情報をリモコン受光部２０に供給する。
【０１６６】
〔表示装置の動作〕
表示装置１１のリモコン受光部２０は、リモコン３２からユーザ情報を受け取る。リモコン受光部２０にて受け取った上記ユーザ情報は、指示取得部１１０を介し、ユーザ特定部１３１、さらに画質調整部１５０に送信される。なお、上記ユーザ情報は、すでにリモコン３２を操作しているユーザのユーザ情報であると特定されている。そのため、ユーザ特定部１３１は、ユーザ情報の特定は行わない。画質調整部１５０は、ユーザ特定部１３１から取得した上記ユーザ情報と、ジャンル取得部１４０から取得したジャンル情報との組に対応して記録されている画質調整値を、記録部２１から読み出し、読み出した画質調整値に基づいて画質を調整する指示を画質調整部２２に通知する。画質調整部２２は、取得した画質調整値に基づいて、表示装置１１に入力される映像信号を調整し、表示部２３に表示する。
【０１６７】
上記構成によって、リモコン３２は、ユーザ特定処理を行い、特定したユーザ情報を表示装置１１に送ることができる。表示装置１１は、受け取ったユーザ情報より、リモコン３２を使用しているユーザの好みに合った画質で映像を表示することができる。
【０１６８】
また、表示装置１１はユーザ特定処理を行わないため、表示装置１１に負荷をかけることなく、表示装置１１を使用しているユーザの好みの画質で映像信号を表示することができる。
【０１６９】
なお、本実施形態では、指紋によってユーザの特定を行う構成を示したが、これに限定されるものではない。例えば、指紋センサの代わりに体脂肪率センサを用いて、ユーザ情報として体脂肪率を登録し、登録されている体脂肪率と読み取った体脂肪率との比較によってユーザの特定を行う構成を採用してもよい。
【０１７０】
＜実施形態４＞
本発明の第４の実施形態について、図１０から図１１を用いて以下に説明する。なお、説明の便宜上、実施形態１に係る構成要素と同様の機能を有する構成要素には、同一の番号を付し、その説明を省略する。本実施形態では、主に、実施形態１との相違について説明する。
【０１７１】
本実施形態では、遠隔操作装置にてユーザを撮影し、撮影した画像を用いてユーザを特定し、特定されたユーザの好みの画質で映像を提供する方法を説明する。
【０１７２】
本実施形態では、ユーザを撮影するカメラ３３１は、表示装置１０ではなく、遠隔操作装置３３に備えられている。また、本実施形態では、リモコンを使用しているユーザをリモコンで撮影するため、リモコンの位置を認識する処理を行わない。そのため、表示装置１２は、表示装置１０の顔抽出部１６０、及び、リモコン認識部１７０の代わりに、顔抽出部１６２を備える。
【０１７３】
〔表示装置の構成〕
まず、本実施形態に係る表示装置１２の構成について、図１０を参照して以下に説明する。図１０は、本実施形態に係る表示装置１２の構成を示す図である。
【０１７４】
図１０に示すように、表示装置１２は、リモコン受光部２０、記録部２１、画質調整部２２、表示部２３、及び、主制御部１０２を備えている。また、主制御部１０２は、指示取得部１１０、画質設定部１２０、ユーザ特定部１３０、ジャンル取得部１４０、画質調整部１５０、及び、顔抽出部１６２を備えている。また、表示装置１２は、遠隔操作装置（リモコン）３３からの信号を取得可能に構成されている。
【０１７５】
リモコン３３は、ユーザによる操作信号をリモコン受光部２０に通知する。リモコン信号の通知は、例えば、赤外線などの光で通知することができるが、これに限定されるものではない。また、リモコン３３には、リモコン３３を使用しているユーザの顔を撮影可能な位置にカメラ３３１が備えられている。
【０１７６】
カメラ３３１は、リモコン３３を使用している人物を特定するために、リモコン３３を使用しているユーザを撮影するものである。なお、カメラ３３１には、例えば、ＣＣＤカメラを用いればよいが、これに限定されるものではない。
【０１７７】
リモコン３３は、カメラ３３１によって、リモコン３３を使用しているユーザを撮影する。リモコン３３は、カメラ３３１によって撮影した撮影画像を、表示装置１２のリモコン受光部２０に赤外線などの光で供給する。リモコン受光部２０に供給された撮影画像は、指示取得部１１０を介して、画質設定部１２０、及び、顔抽出部１６２に供給される。
【０１７８】
顔抽出部１６２は、指示取得部１１０から撮影画像情報を受信し、受信した撮影画像情報から、顔の特徴点を抽出するものである。顔抽出部１６２は、抽出した顔の特徴点の情報を、ユーザ顔情報として、画質設定部１２０およびユーザ特定部１３０に通知する。なお、顔の特徴点を抽出する方法は公知であるので、その説明を省略する。
【０１７９】
（ユーザ特定処理）
次に、本実施形態に係る表示装置１２が備える主制御部１０２の、ユーザの特定処理の動作について、図１０を用いて説明する。図１０は、本実施形態に係る表示装置１２が備える主制御部１０２の、ユーザ特定の処理の流れを示すフローチャートである。
【０１８０】
図１０に示すように、リモコン３３が表示装置１２に信号を送信する（ステップＳ３１）と、リモコン３３は、リモコン３３の近傍に位置するユーザの顔情報を、カメラ３３１にて撮影された画像より抽出する（ステップＳ３２）。ユーザ特定部１３０は、顔抽出部１６２から供給されるユーザ顔情報を基に、すでに記録部２１に記録されている全てのユーザ情報から、一致するユーザ顔情報を含むユーザ情報を特定する（ステップＳ３３）。
【０１８１】
リモコン３３の近傍に位置するユーザを特定すると、ユーザ特定部１３０は、表示部２３に特定されたユーザが設定している画質調整値を反映するか否かを問い合わせるダイアログを表示する。表示されるダイアログには、例えば、「お父さんが認識されました。お好み画質設定のユーザ設定を反映しますか」というメッセージと共に、「はい」「いいえ」という選択肢が表示される。ユーザ特定部１３０は、リモコン３３の操作によって、「はい」「いいえ」を選択することによるユーザからの指示に従って、特定されたユーザが設定している画質調整を反映するか否かを決定する（ステップＳ３４）。なお、ダイアログに表示されるメッセージ、及び、選択肢は、これに限定されるものではない。画質調整値を反映しない旨の指示を取得した場合（ステップＳ３４においてＮＯ）、この動作を終了する。
【０１８２】
ステップＳ３３でユーザが特定できなかった場合、ユーザ特定部１３０は、ユーザが特定できなかったメッセージと、メーカ推奨の画質調整値を反映する旨のメッセージ、ステップＳ１からステップＳ４までの画質／ユーザ設定処理を実行する旨のメッセージ、及び、他のユーザの画質調整値を反映する旨のメッセージなどを表示してもよい。これにより、ユーザが特定できなかった場合においても容易に画質設定値を登録することができる。なお、ユーザが特定できなかった場合の処理はこれに限定されるものではないし、表示されるメッセージはこれに限定されるものではない。
【０１８３】
特定されたユーザが設定している画質調整値を反映する旨の指示を取得した場合（ステップＳ３４においてＹＥＳ）、画質調整部１５０は、特定されたユーザの画質調整値を記録部２１から読み出し、読み出した画質調整値に基づいて画質を調整する旨を画質調整部２２に通知する。画質調整部２２は、通知された画質調整値のうち、ジャンル取得部１４０から取得したジャンル情報に対して設定されている画質調整値に基づいて、表示装置１２に入力される映像信号を調整し、表示部２３に表示する（ステップＳ３５）。
【０１８４】
上記構成によって、ユーザが自ら、記録部２１に記録されているユーザのうちどのユーザが表示装置１２を利用しているのかを選択する手間を省くことができ、かつ、ユーザの好みの画質で映像信号を表示することができる。
【０１８５】
また、上記構成によって、表示装置１２を利用しているユーザが一人の場合においても、複数の場合においても、表示装置１２は、リモコン３３を使用しているユーザの好みの画質で映像信号を表示することができる。
【０１８６】
なお、本実施形態では、ユーザ名、及び、ユーザ顔情報をユーザ情報として、画質調整値に関連付けて記録する構成を示したが、これに限定されるものではなく、例えば、ユーザ名を記録することなく、ユーザ顔情報と画質調整値とを関連付けて記録する構成を採用してもよい。
【０１８７】
＜実施形態５＞
第４の実施形態においては、表示装置１２が備える主制御部１０２にて、ユーザ顔情報を用いてユーザ特定処理を行う方法について説明したが、本発明はこれに限定されるものではない。本実施形態では、遠隔操作装置にてユーザ顔情報を用いてユーザ特定処理を行い、ユーザ特定処理の結果を表示装置１２のリモコン受光部２０に供給する方法を、図１２を用いて以下に説明する。なお、説明の便宜上、実施形態３、及び、実施形態４に係る構成要素と同様の機能を有する構成要素には、同一の番号を付し、その説明を省略する。
【０１８８】
〔遠隔操作装置の構成〕
図１２は、本実施形態に係る遠隔操作装置（リモコン）３４と表示装置１２の構成を示す図である。
【０１８９】
なお、図１２は、図１０におけるリモコン３３にユーザの顔を特定する機能を備えた、リモコン３４の構成を示す図である。
【０１９０】
図１２に示すように、リモコン３４は、カメラ３３１、顔抽出部３４２、ユーザ特定部３４３、記録部３２３、及び、リモコン発光部３２４を備えている。
【０１９１】
顔抽出部３４２は、カメラ３３１から撮影画像情報を受信し、受信した撮影画像情報から、顔の特徴点を抽出するものである。顔抽出部３４２は、抽出した顔の特徴点の情報を、ユーザ情報として、ユーザ特定部３４３に通知する。なお、顔の特徴点を抽出する方法は公知であるので、その説明を省略する。
【０１９２】
ユーザ特定部３４３は、記録部３２３に記録されているユーザのうち、どのユーザがリモコン３４を利用しているかを特定する手段である。具体的には、ユーザ特定部３４３は、顔抽出部３４２からのユーザ顔情報を取得し、取得したユーザ顔情報と、記録部３２３に記録されているユーザ顔情報とを照合する。なお、この照合方法は公知であるので、その説明を省略する。照合した結果、記録部３２３に記録されているユーザ顔情報の何れかと、顔抽出部３４２から取得したユーザ顔情報との一致率が予め定められた値よりも高い場合、一致率が高いユーザ顔情報を含むユーザ情報を記録部３２３から読み出す。
【０１９３】
（ユーザ特定処理）
本実施形態に係るリモコン３４の、ユーザ特定処理の動作について、以下に説明する。本実施形態のユーザ特定処理は、図１１におけるステップＳ３３に該当する。
【０１９４】
リモコン３４は、カメラ３３１によって、リモコン３４を使用しているユーザを撮影する。
【０１９５】
ユーザ特定部３４３は、顔抽出部３４２から供給されるユーザ顔情報を基に、すでに記録部３２３に記録されている全てのユーザ情報から、一致するユーザ顔情報を含むユーザ情報を特定する。
【０１９６】
リモコン発光部３２４は、ユーザ特定部３４３で特定したユーザ情報をリモコン受光部２０に供給する。
【０１９７】
〔表示装置の動作〕
表示装置１２のリモコン受光部２０は、リモコン３４からユーザ情報を受け取る。リモコン受光部２０にて受け取った上記ユーザ情報は、指示取得部１１０を介し、ユーザ特定部１３０、さらに画質調整部１５０に送信される。なお、上記ユーザ情報は、すでにリモコン３４を操作しているユーザのユーザ情報であると特定されている。そのため、ユーザ特定部１３０は、ユーザ情報の特定は行わない。画質調整部１５０は、ユーザ特定部１３０から取得した上記ユーザ情報と、ジャンル取得部１４０から取得したジャンル情報との組に対応して記録されている画質調整値を、記録部２１から読み出し、読み出した画質調整値に基づいて画質を調整する旨を画質調整部２２に通知する。画質調整部２２は、取得した画質調整値に基づいて、表示装置１２に入力される映像信号を調整し、表示部２３に表示する。
【０１９８】
上記構成によって、リモコン３４は、ユーザ特定処理を行い、特定したユーザ情報を表示装置１２に送ることができる。表示装置１２は、受け取ったユーザ情報より、リモコン３４を使用しているユーザの好みに合った画質で映像を表示することができる。
【０１９９】
また、表示装置１２はユーザ特定処理を行わないため、表示装置１２に負荷をかけることなく、表示装置１２を使用しているユーザの好みの画質で映像信号を表示することができる。
【０２００】
＜プログラム及び記録媒体＞
実施形態１〜５について最後に、表示装置１０〜１２の各ブロック、特に主制御部１００〜１０２、及び、遠隔操作装置３０〜３４は、集積回路（ＩＣチップ）上に形成された論理回路によってハードウェア的に実現してもよいし、ＣＰＵ（Central Processing Unit）を用いてソフトウェア的に実現してもよい。
【０２０１】
後者の場合、表示装置１０〜１２、及び、遠隔操作装置３０〜３４は、各機能を実現するプログラムの命令を実行するＣＰＵ、上記プログラムを格納したＲＯＭ（Read Only Memory）、上記プログラムを展開するＲＡＭ（Random Access Memory）、及び、上記プログラムおよび各種データを格納するメモリ等の記憶装置（記録媒体）などを備えている。そして、本発明の目的は、上述した機能を実現するソフトウェアである表示装置１０〜１２、及び、遠隔操作装置３０〜３４の制御プログラムのプログラムコード（実行形式プログラム、中間コードプログラム、ソースプログラム）をコンピュータで読み取り可能に記録した記録媒体を、上記表示装置１０〜１２、及び、上記遠隔操作装置３０〜３４に供給し、そのコンピュータ（またはＣＰＵやＭＰＵ）が記録媒体に記録されているプログラムコードを読み出し実行することによっても、達成可能である。
【０２０２】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０２０３】
また、表示装置１０〜１２、及び、遠隔操作装置３０〜３４を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２０４】
＜実施形態６＞
以下、本発明の第６の実施形態について、図１〜図８を用いて詳細に説明する。
【０２０５】
〔表示装置の概要〕
本実施形態に係る表示装置４１０は、自装置を継続的に利用する継続利用者を自装置に登録するとともに、継続利用者に応じた画像を表示することができる表示装置である。ここで、表示装置４１０は、利用者の識別情報を取得した回数が、予め定められた閾値を越えたとき、当該利用者を継続利用者として登録する処理を実行する。この際、表示装置４１０は、利用者の明示的な操作がなくても、利用者の識別情報を取得可能な構成であるため、例えば、利用者が表示装置４１０を数回利用すれば、継続利用者として登録する処理が自動的に実行される。
【０２０６】
ここで、識別情報とは、利用者を識別可能な情報であり、識別情報としては、利用者の身体的な特徴を表す情報（以下、身体情報と表記する）を想定している。本実施形態では、身体情報として、利用者の顔の特徴点を示す情報（以下、顔情報と表記する）を用いる例について説明するが、利用者の指紋を表す情報などを身体情報として用いてもよい。
【０２０７】
また、利用者とは、予め定められた所定の操作が表示装置４１０に対して行なわれた際に、表示装置４１０の正面に位置する者、後述するリモコン４３０の最も近傍に位置する者などである。予め定められた所定の操作とは、例えば、表示装置４１０の電源を投入する操作や、表示させる画像の選択又は変更を指示する操作、表示させる画像を選択するためのメニューの表示を指示する操作などが挙げられる。なお、これらの操作は、表示装置４１０に設けられたボタン、キーおよびリモコン４３０などを用いて行なわれる。
【０２０８】
なお、表示装置４１０は、テレビ放送番組および録画された映像などを表示するテレビジョン受像機に好適に適用することができる。この場合、利用者に応じた画像とは、例えば、利用者の嗜好に応じたジャンルのテレビ放送番組であったり、利用者の嗜好に応じた画質に調整された映像であったりする。なお、ジャンルとは、例えば、ニュース、ドラマ、音楽、バラエティ、映画などである。また、画質とは、例えば、明度、輝度、黒レベル、色の濃さ、色合い等である。
【０２０９】
〔表示装置の構成〕
次に、表示装置４１０の構成、および表示装置４１０が備える主制御部４２２の構成について、図１を参照して説明する。図１は、表示装置４１０の構成を示すブロック図である。
【０２１０】
図１に示すように、表示装置４１０は、制御信号受信部４２０、カメラ（撮像部）４２１、主制御部４２２、記憶部４２３、表示部４２４、操作部４２５、およびチューナ４２６を備えている。また、主制御部４２２は、身体情報取得部（識別情報取得手段）５０１、身体情報格納部（識別情報格納手段）５０２、入力操作解析部５０３、表示制御情報取得部（表示制御情報入力手段）５０４、表示制御情報出力制御部５０５、および表示制御部（表示制御手段）５０６を備えている。また、表示装置４１０は、自装置を制御する外部装置であるリモートコントローラ（リモコン）４３０からの制御信号を受信可能に構成されている。
【０２１１】
制御信号受信部４２０は、リモコン４３０からの、自装置を制御するための制御信号を受信する。制御信号受信部４２０としては、有線または無線により外部から制御信号を受信する機能を備えているものであればよく、例えば赤外線等の光で制御信号を受信するものなどが挙げられる。制御信号受信部４２０は、受信した制御信号を、主制御部４２２へ送信する。
【０２１２】
操作部４２５は、表示装置４１０の利用者の入力操作を受け付けるものである。操作部４２５は、例えば、スイッチ、ボタン、タッチパネルなどの入力デバイスで構成される。そして、操作部４２５は、表示装置４１０の利用者の入力操作に応じた制御信号を生成し、該生成した制御信号を主制御部４２２へ送信する。なお、利用者の入力操作とは、例えば、表示装置４１０の電源ボタンを押下する操作などである。
【０２１３】
カメラ４２１は、利用者の顔の画像を撮像可能な撮像部であり、表示装置４１０の利用者の顔を撮像して顔の画像データ（撮像画像）を取得するための撮像素子である。カメラ４２１としては、例えばＣＣＤ（Charge Coupled Device）カメラなどを用いることができる。カメラ４２１は、身体情報取得部５０１からの指示に基づいて、利用者の顔を撮像する。このとき、カメラ４２１は、表示装置４１０の正面にいる利用者の顔を検出して撮像してもよいし、リモコン４３０の最も近傍にいる利用者の顔を検出して撮像してもよい。なお、顔を検出する方法は、公知の方法を用いることができるので、ここでは説明を省略する。
【０２１４】
記憶部４２３は、表示装置４１０の動作に必要な各種データおよびプログラムを記憶するものである。記憶部４２３の例としては、主制御部４２２が動作するときに必要なプログラム等の固定データを記憶する読出し専用の半導体メモリであるＲＯＭ（Read Only Memory）と、演算に使用するデータ及び演算結果等を一時的に記憶するいわゆるワーキングメモリとしてのＲＡＭ（Random Access Memory）とが挙げられる。また、記憶部４２３は、未登録者用記憶部５１１および登録者用記憶部（記憶部）５１２を備えている。
【０２１５】
登録者用記憶部５１２は、少なくとも、身体情報取得部５０１が取得した顔情報のうち、継続利用者の顔情報を、識別情報として記憶するメモリである。登録者用記憶部５１２への顔情報の格納は、身体情報格納部５０２によって行なわれる。なお、後述するように、同じ顔情報の取得回数が、予め設定された閾値（以下、閾値Ｔと表記する）を超えた場合に、当該顔情報を識別情報として登録者用記憶部５１２に格納する。
【０２１６】
なお、閾値Ｔは、０以上の任意の整数であればよいが、１以上の任意の整数であることが好ましい。１以上の整数であれば、表示装置４１０を一度だけ操作する利用者等の顔情報の登録を防止することができ、表示装置４１０をある程度高い頻度で操作する継続利用者の顔情報のみを記憶させることができる。また、閾値Ｔは、例えば、記憶部４２３に予め記憶されていてもよく、また、表示装置４１０に固有の固定値であってもよいし、利用者によって更新可能な可変値であってもよい。
【０２１７】
さらに、登録者用記憶部５１２は、識別情報に加えて、識別情報によって識別される継続利用者に応じた画像を表示部４２４に表示させるための表示制御情報を、当該識別情報に対応付けて記憶する。表示制御情報としては、例えば、継続利用者が視聴又は設定した番組のジャンルを示す情報、継続利用者が録画設定又は録画した番組を示す情報、継続利用者が設定した画質に関する情報などが挙げられる。つまり、表示制御情報は、表示する画像に関する継続利用者の嗜好が反映された情報であるとも言える。なお、表示制御情報は、１種類の情報である必要は無く、複数種類の情報から成るものであってもよい。
【０２１８】
また、登録者用記憶部５１２は、さらに、識別情報を識別するためのユーザＩＤを、識別情報に対応付けて記憶してもよい。さらに、登録者用記憶部５１２は、識別情報によって識別される継続利用者の登録名を、ユーザＩＤに対応付けて記憶してもよい。登録名とは、継続利用者を示す名称であればよく、略称やニックネームであってもよい。また、登録名は、継続利用者によって入力されたものであってもよいし、予め用意されているリストから継続利用者によって選択されたものであってもよい。
【０２１９】
なお、上記構成の場合、表示装置４１０の各部が、識別情報を検索キーとして登録者用記憶部５１２を検索する処理において、識別情報に代えて、ユーザＩＤまたは登録名を検索キーとして用いてもよい。
【０２２０】
未登録者用記憶部５１１は、身体情報取得部５０１が取得した顔情報のうち、継続利用者ではない利用者の顔情報を、識別情報として一時的に記憶するメモリである。つまり、身体情報取得部５０１が取得した顔情報のうち、登録者用記憶部５１２に識別情報として記憶されていない顔情報を、一時的に記憶するメモリである。未登録者用記憶部５１１への顔情報の格納は、身体情報格納部５０２によって行なわれる。なお、後述するように、同じ顔情報の取得回数が、閾値Ｔ以下である間は、当該顔情報を未登録者用記憶部５１１に記憶する。
【０２２１】
そのために、未登録者用記憶部５１１は、識別情報に加えて、識別情報としての顔情報が身体情報取得部５０１によって取得された回数（取得回数）を、当該識別情報に対応付けて記憶することが好ましい。そして、取得回数の初期値を「１」とし、同じ顔情報が取得される毎に、取得回数に「１」を加算する更新を行なうことが好ましい。
【０２２２】
また、未登録者用記憶部５１１は、識別情報としての顔情報が取得された日時（取得日時）を、当該識別情報に対応付けて記憶してもよい。そして、同じ顔情報が取得される毎に、対応付けて記憶している取得日時を、顔情報が取得された最新の日時に更新してもよい。また、顔情報が直近に取得された日時から所定期間（例えば３日間）経過した場合に、当該顔情報と対応付けて記憶している取得回数から「１」を減じる更新を行なってもよい。さらに、取得回数が「０」に達した場合には、その顔情報を未登録者用記憶部５１１から削除してもよい。このように、取得回数とは、当該顔情報が取得された回数を正確に表す値でなくてもよく、当該顔情報が取得される頻度を表すものであってもよい。これにより、表示装置４１０を継続的に利用しない利用者のデータについては、所定期間後に削除することが可能となり、不要なデータの蓄積を防ぐことができる。
【０２２３】
また、未登録者用記憶部５１１は、識別情報に加えて、識別情報によって識別される利用者の表示制御情報を、当該識別情報に対応付けて記憶する構成が好ましい。当該構成にすることにより、未登録者用記憶部５１１に記憶されている表示制御情報を用いて、登録者用記憶部５１２に新たな継続利用者のレコードを生成することができる。
【０２２４】
表示部４２４は、表示制御部５０６からの画像信号に基づいて画像を表示する。具体的には、表示部４２４は、ＬＣＤ（Liquid Crystal Display）、ＥＬ（Electroluminescence）ディスプレイ、ＰＤＰ（Plasma Display Panel）などの表示素子と、受信した画像信号に基づいて表示素子を駆動するドライバ回路とを備える構成である。なお、画像には、絵や図形の他、文字も含まれ、また、静止画像および動画像も含まれる。
【０２２５】
チューナ４２６は、表示制御部５０６から指定されたチャンネルの放送波を選択して受信し、これを所定の信号に変換して出力する。なお、表示制御部５０６は、この信号にデコード等の処理を施すことによって、受信したチャンネルのテレビ番組の映像を表示部４２４に出力する。なお、チューナ４２６は、放送波の受信及び受信した放送波の所定の信号への変換機能を備えていればよく、例えば地上デジタルチューナ、ＢＳチューナ、ＣＳチューナ等、必要に応じて従来の一般的なものを適用することができる。
【０２２６】
主制御部４２２は、表示装置４１０内の各種構成を統括的に制御するものである。主制御部４２２の機能は、例えばＲＡＭやフラッシュメモリなどの記憶装置に記憶されたプログラムをＣＰＵ（Central Processing Unit）が実行することによって実現される。主制御部４２２が備える身体情報取得部５０１、身体情報格納部５０２、入力操作解析部５０３、表示制御情報取得部５０４、表示制御情報出力制御部５０５、および表示制御部５０６について、以下に説明する。
【０２２７】
身体情報取得部５０１は、利用者の顔を撮像する旨をカメラ４２１に指示し、カメラ４２１が撮像した撮像画像を取得する。そして、当該取得した撮像画像から顔情報（身体情報）の取得を試みる。そして、顔情報の取得に成功した場合には、該取得した顔情報を身体情報格納部５０２に送信する。身体情報取得部５０１は、例えば、表示装置４１０に対する所定の操作が行なわれた場合に、利用者の顔を撮像するようにカメラ４２１に指示することが好ましい。具体的には、身体情報取得部５０１は、表示装置４１０に対する所定の操作を示す制御信号を入力操作解析部５０３から受信した際に、利用者の顔を撮像する旨をカメラ４２１に指示することが好ましい。この場合、識別情報を取得するための明示的な操作を利用者が行なわなくても、身体情報取得部５０１は利用者の識別情報を取得することができる。
【０２２８】
なお、所定の操作とは、表示装置４１０が表示部４２４に画像を表示させるトリガとなる操作のうちのいずれかを指す。具体的には、リモコン４３０または操作部４２５を介して表示装置４１０の電源を投入する操作、リモコン４３０を用いて視聴する番組の選択又は変更を指示する操作、リモコン４３０を用いて番組情報や録画リスト等の表示を指示する操作などが挙げられる。
【０２２９】
なお、身体情報として指紋に関する情報（指紋データ）を用いる場合には、例えば、リモコン４３０に指紋センサが設けられていてもよい。この場合、リモコン４３０は、指紋センサによって利用者の指紋データを読み取り、該読み取った指紋データを含む制御信号を制御信号受信部４２０に送信する。そして、身体情報取得部５０１は、制御信号受信部４２０を介して利用者の指紋データを識別情報として取得する。
【０２３０】
身体情報格納部５０２は、身体情報取得部５０１が取得した顔情報と一致する識別情報が、登録者用記憶部５１２に記憶されているか否かを判定する。当該判定の結果、一致する識別情報が記憶されている場合、当該識別情報を表示制御情報出力制御部５０５に送信する。
【０２３１】
また、身体情報格納部５０２は、上記判定の結果、一致する識別情報が記憶されていない場合、さらに、身体情報取得部５０１が取得した顔情報と一致する識別情報が未登録者用記憶部５１１に記憶されているか否かを判定する。当該判定の結果、一致する識別情報が記憶されていない場合には、当該顔情報を識別情報として未登録者用記憶部５１１に新たに格納する。一方、一致する識別情報が記憶されている場合には、未登録者用記憶部５１１が当該識別情報と対応付けて記憶している取得回数に「１」を加算する更新を行なう。
【０２３２】
また、身体情報格納部５０２は、未登録者用記憶部５１１が識別情報と対応づけて記憶している取得回数に「１」を加算した結果、取得回数が閾値Ｔを越えた場合には、当該識別情報を有するレコードを登録者用記憶部５１２に格納するとともに、当該識別情報を有するレコードを未登録者用記憶部５１１から削除する。
【０２３３】
また、身体情報格納部５０２は、顔情報を識別情報として未登録者用記憶部５１１または登録者用記憶部５１２に格納する際、もしくは未登録者用記憶部５１１が記憶している取得回数を更新する際に、表示制御情報取得部５０４に、表示制御情報を取得する旨を指示する。そして、表示制御情報取得部５０４から取得した表示制御情報を、識別情報に対応付けて未登録者用記憶部５１１または登録者用記憶部５１２に格納する。
【０２３４】
ここで、表示制御情報取得部５０４に対して表示制御情報を取得する旨の指示には、２種類ある。
【０２３５】
１つ目は、身体情報格納部５０２は、顔情報を識別情報として未登録者用記憶部５１１に格納する際、または未登録者用記憶部５１１が記憶している取得回数を更新する際、表示制御情報取得部５０４に、「簡易の表示制御情報」を取得する旨を指示することが好ましい。簡易の表示制御情報とは、利用者からの入力を必要とせずに取得できる表示制御情報を指し、例えば、その時点で視聴している番組のジャンルやチャンネルを示す情報などが挙げられる。そして、表示制御情報取得部５０４から取得した簡易の表示制御情報を、識別情報に対応付けて未登録者用記憶部５１１に格納する。
【０２３６】
また、２つ目は、身体情報格納部５０２は、顔情報を識別情報として登録者用記憶部５１２に格納する際、表示制御情報取得部５０４に、「詳細な表示制御情報」を取得する旨を指示することが好ましい。詳細な表示制御情報とは、利用者からの入力を必要とする表示制御情報を指す。例えば、画質の詳細な設定値などである。そして、表示制御情報取得部５０４から取得した詳細な表示制御情報を、識別情報に対応付けて登録者用記憶部５１２に格納する。
【０２３７】
なお、表示装置４１０は、身体情報格納部５０２が識別情報を登録者用記憶部５１２に格納する際に、未登録者用記憶部５１１が当該識別情報と対応付けて記憶している表示制御情報を取得して、上述した詳細な表示制御情報に加えて、またはその代わりに、登録者用記憶部５１２に格納するように設定可能な構成になっていてもよい。また、表示装置４１０は、身体情報格納部５０２が識別情報を登録者用記憶部５１２に格納する際に、表示制御情報取得部５０４に、上述した詳細な表示制御情報の代わりに、簡易の表示制御情報を取得する旨を指示するように設定可能な構成になっていてもよい。このような設定は、利用者によって変更可能であってもよい。これにより、利用者が表示制御情報を入力する手間を省くことができる。
【０２３８】
入力操作解析部５０３は、リモコン４３０からの制御信号を、制御信号受信部４２０から取得して解析する。また、入力操作解析部５０３は、操作部４２５から制御信号を取得して解析する。解析した結果、制御信号が、利用者によって入力された、表示制御情報を構成する項目に関する情報を含んでいる場合には、その制御情報を表示制御情報取得部５０４に送信する。また、制御信号が、上述した所定の操作を示すものである場合には、その制御信号を、身体情報取得部５０１および表示制御部５０６に送信する。
【０２３９】
表示制御情報取得部５０４は、身体情報格納部５０２からの指示に基づいて、表示制御情報を取得し、身体情報格納部５０２に送信する。
【０２４０】
表示制御情報取得部５０４は、身体情報格納部５０２から、簡易の表示制御情報の取得指示を受けた場合には、表示制御部５０６から、その時点で表示部４２４に表示している画像に関する表示制御情報を取得して、身体情報格納部５０２に送信する。例えば、身体情報格納部５０２から、簡易の表示制御情報として、その時点で表示している番組のジャンルに関する表示制御情報を取得する旨の指示を受けた場合には、表示制御部５０６から、その時点で表示している番組のジャンルに関する情報を取得し、身体情報格納部５０２に送信する。また、例えば、身体情報格納部５０２から、簡易の表示制御情報として、その時点で表示している画像の画質設定に関する表示制御情報を取得する旨の指示を受けた場合には、表示制御部５０６から、その時点の画質設定に関する情報を取得し、身体情報格納部５０２に送信する。
【０２４１】
また、表示制御情報取得部５０４は、身体情報格納部５０２から、詳細な表示制御情報を取得する旨の指示を受けた場合には、詳細な表示制御情報を構成する項目を利用者に入力させるためのインタフェースを有する画面（以下、表示制御情報入力画面と表記する）を表示部４２４に表示させる旨を、表示制御部５０６に指示する。詳細な表示制御情報を構成する項目とは、例えば、画質設定に関する項目（明度、輝度、黒レベル、色の濃さ、色合い等）などが挙げられる。そして、表示制御情報取得部５０４は、表示制御情報入力画面にて利用者がリモコン４３０等を用いて入力した情報を含む制御信号を入力操作解析部５０３から受信して、詳細な表示制御情報を生成し、身体情報格納部５０２に送信する。
【０２４２】
表示制御情報出力制御部５０５は、身体情報格納部５０２から識別情報を受信した場合には、当該識別情報に対応づけられた表示制御情報が登録者用記憶部５１２に記憶されている場合には、当該表示制御情報を取得して表示制御部５０６に送信する。
【０２４３】
表示制御部５０６は、入力操作解析部５０３から受信する制御信号と、表示制御情報出力制御部５０５から受信する表示制御情報とに基づいて、画像信号を生成して表示部４２４に送信することによって、表示部４２４に画像を表示させる。
【０２４４】
例えば、表示制御部５０６は、利用者が選択した番組を表示することを示す制御信号に基づいて、チューナ４２６に当該番組を選択させて表示部４２４に表示させるとともに、利用者が設定した画質に関する表示制御情報に基づいて、表示部４２４に表示させた番組の画質を調整する。また、例えば、表示制御部５０６は、番組情報を表示することを示す制御信号と、利用者が設定した番組のジャンルを示す表示制御情報とに基づいて、当該ジャンルの番組情報を表示部４２４に表示させる。このように、表示部４２４は、利用者の画像表示に関する嗜好が反映された表示制御情報に基づいて画像の表示を行なうことができる。
【０２４５】
また、表示制御部５０６は、表示制御情報取得部５０４からの指示に応じて、表示制御情報入力画面を、表示部４２４に表示させる。
【０２４６】
以上の構成によって、表示装置４１０は、継続利用者として記憶（登録）されていない利用者が表示装置４１０を継続的に利用する場合には、その利用者を継続利用者として自動で記憶（登録）することができる。よって、利用者は、自らを継続利用者として表示装置４１０に記憶させるための操作を自発的に行なわなくてもよい。
【０２４７】
したがって、継続的に利用する予定であるがまだ表示装置４１０に登録されていない利用者が、表示装置４１０を所定回数だけ利用すれば、自動的に継続利用者として登録されるので、利用者に手間を感じさせることなく、効率よく継続利用者を登録することができる。
【０２４８】
そのため、表示装置４１０を家庭で使用するテレビジョン受像機に適用する場合において、例えば、新たな家族が増えたときにその家族を効率よく継続利用者として登録することができる。
【０２４９】
また、継続利用者が表示装置４１０を利用する場合には、継続利用者が自発的に操作を行なわなくても、継続利用者に対応する表示制御情報に基づいて画像を表示させることができる。したがって、表示制御情報が番組のジャンルを示す情報であったり、画質設定に関する情報である場合には、継続利用者の好みの番組情報を表示したり、好みの画質設定に調整したりすることが可能となる。
【０２５０】
なお、上述では、利用者が自発的に登録操作を行なう必要がないことを説明したが、もちろん、利用者からの登録操作を受け付ける機能を備えていてもよく、また、利用者からの表示制御情報の更新操作を受け付ける機能を備えていてもよい。
【０２５１】
〔表示装置４１０における処理の流れ〕
次に、表示装置４１０における、継続利用者を記憶する処理の流れについて、図２〜図７を用いて説明するとともに、本発明に係る表示装置の制御方法について説明する。図２は、表示装置４１０における処理の流れの一例を示すフローチャートである。
【０２５２】
まず、利用者が表示装置４１０に対して所定の操作を行なうことによって、本処理が開始する（ステップＳ４１）。身体情報取得部５０１は、当該所定の操作を示す制御信号を受信すると、カメラ４２１に利用者を撮像させ、利用者の顔の撮像画像を取得する（ステップＳ４２）（識別情報取得ステップ）。そして、身体情報取得部５０１は、取得した撮像画像から顔情報の取得を試みる（ステップＳ４３）。そして、身体情報取得部５０１が当該撮像画像から顔情報を取得できなかった場合（ステップＳ４３においてＮＯ）には、本処理は終了する（ステップＳ４８）。一方、身体情報取得部５０１が顔情報を取得できた場合（ステップＳ４３においてＹＥＳ）には、当該取得した顔情報を身体情報格納部５０２に送信する。
【０２５３】
次に、身体情報格納部５０２は、受信した顔情報と一致する識別情報が、登録者用記憶部５１２に記憶されているか否かを判定する（ステップＳ４４）。受信した顔情報と一致する識別情報が記憶されている場合（ステップＳ４４においてＹＥＳ）には、身体情報格納部５０２は、表示制御情報出力制御部５０５に、一致した識別情報を送信する。表示制御情報出力制御部５０５は、受信した識別情報に対応付けられた表示制御情報を登録者用記憶部５１２から取得し、該取得した表示制御情報に基づいて、表示制御部５０６に画像を表示させる（ステップＳ４７）（表示制御ステップ）。ステップＳ４７については後述する。
【０２５４】
一方、受信した顔情報と一致する識別情報が記憶されていない場合（ステップＳ４４においてＮＯ）には、ステップＳ４５へ進む。ステップＳ４５では、まず身体情報格納部５０２は、取得した顔情報と一致する識別情報が、未登録者用記憶部５１１に記憶されているか否かを判定する。そして、当該取得した顔情報と一致する識別情報が未登録者用記憶部５１１に記憶されていない場合には、当該顔情報を未登録者用記憶部５１１に識別情報として新たに格納する。その際、未登録者用記憶部５１１は、当該識別情報の取得回数として初期値である「１」を対応付けて記憶する。一方、当該取得した顔情報と一致する識別情報が未登録者用記憶部５１１に記憶されている場合には、身体情報格納部５０２は、未登録者用記憶部５１１がその識別情報と対応付けて記憶している取得回数に「１」を加算する。
【０２５５】
その後、身体情報格納部５０２は、未登録者用記憶部５１１に新たに記憶されたレコード、または、取得回数が修正されたレコードの取得回数と、閾値Ｔとを比較する（ステップＳ４５）。その結果、取得回数が閾値Ｔ以下である場合（ステップＳ４５においてＮＯ）には、本処理を終了させる（ステップＳ４８）。一方、取得回数が閾値Ｔよりも大きい場合（ステップＳ４５においてＹＥＳ）には、身体情報格納部５０２は、そのレコードの識別情報を新たな継続利用者の識別情報として登録者用記憶部５１２に格納する（ステップＳ４６）（識別情報格納ステップ）。
【０２５６】
また、身体情報格納部５０２は、ステップＳ４５において未登録者用記憶部５１１に識別情報を格納する際に、その時点で表示部４２４に表示されている番組のジャンルやチャンネル、画質設定などに関する表示制御情報を表示制御情報取得部５０４から受信し、当該識別情報に対応付けて格納する。
【０２５７】
ステップＳ４６では、身体情報格納部５０２は、新たに登録者用記憶部５１２に登録する継続利用者の識別情報を未登録者用記憶部５１１から取得し、登録者用記憶部５１２に格納する。その際、身体情報格納部５０２は、表示制御情報取得部５０４から表示制御情報を受信して、当該識別情報と対応付けて登録者用記憶部５１２に格納する。
【０２５８】
ステップＳ４６において登録処理を行なう際に、表示制御情報取得部５０４が表示部４２４に表示させる画面の一例を図３〜図７に示す。図３〜図７は、表示装置４１０における登録処理において、表示制御情報取得部５０４が表示部４２４に表示させる画面の一例を示す模式図である。
【０２５９】
ステップＳ４６では、表示制御情報取得部５０４は、まず、継続利用者として登録するか否かを利用者に選択させるためのインタフェースを有する画面４５１を、表示制御部５０６を介して表示部４２４に表示させる（図３参照）。画面４５１には、「登録する」および「登録しない」の２つの選択項目と、登録しようとする利用者の顔の撮像画像とが表示される。利用者は、画面４５１において、選択項目のいずれかをリモコン４３０等を用いて選択することができる。このように、登録するか否かを、利用者に選択させてもよい。
【０２６０】
画面４５１にて「登録する」が選択された場合、表示制御情報取得部５０４は、引き続き、登録しようとする顔情報に対応する利用者の登録名を利用者に選択させるためのインタフェースを有する画面４５２を、表示制御部５０６を介して表示部４２４に表示させる（図４参照）。なお、図４では、登録名として、「お父さん」、「お母さん」、「お兄さん」、「お姉さん」、「お爺さん」、「お婆さん」、および「その他」のいずれかを選択可能に表示している。利用者は、画面４５２において、いずれかの登録名をリモコン４３０等により選択することができる。
【０２６１】
画面４５２において「その他」が選択された場合、表示制御情報取得部５０４は、登録名を入力させるためのインタフェースを有する画面４５３を、表示制御部５０６を介して表示部４２４に表示させる（図５参照）。
【０２６２】
また、画面４５２において「その他」以外が選択された場合、および、画面４５３において登録名が入力された場合、表示制御情報取得部５０４は、表示制御情報を入力するか否かを利用者に選択させるためのインタフェースを有する画面４５４を、表示制御部５０６を介して表示部４２４に表示させる（図６参照）。画面４５４には、「設定する」および「設定しない」の２つの選択項目が表示される。なお、ここでは、表示制御情報が、「お好み画質」、すなわち利用者に応じた画質に関する情報である場合について示す。
【０２６３】
画面４５４において「設定する」が選択された場合、表示制御情報取得部５０４は、表示制御情報（ここではお好み画質）を入力するためのインタフェースを有する画面４５５を、表示制御部５０６を介して表示部４２４に表示させる（図７参照）。画面４５５の左上には、利用者の登録名が表示され、その下に、「ニュース」、「情報」、「ドラマ」などのジャンルと、利用者が選択しているジャンルについての画質の設定項目とが表示されている。利用者は、この画面で、表示制御情報として、ジャンル毎の好みの画質を選択して入力することができる。入力された情報は、表示制御情報取得部５０４が取得して、登録者用記憶部５１２に送信する。
【０２６４】
このように、表示制御情報が画質設定に関する情報である場合、番組のジャンル毎に異なる情報が記憶されてもよい。これによって、表示装置４１０の電源が投入されたときに、表示装置４１０は、電源を投入する操作を行なった利用者の顔情報を取得し、その顔情報に対応付けて登録者用記憶部５１２に記憶している表示制御情報に基づいて、その利用者が視聴する番組のジャンルに応じた画質を、利用者がその都度設定することなく、自動的に設定することができる。
【０２６５】
ステップＳ４６の後、身体情報格納部５０２は、表示制御情報出力制御部５０５に、ステップＳ４６において新規登録した識別情報を送信する。表示制御情報出力制御部５０５は、受信した識別情報に対応する表示制御情報を登録者用記憶部５１２から取得し、該取得した表示制御情報に基づいて表示制御部５０６を制御することによって、表示部４２４に表示制御情報に従った画像を表示させる（ステップＳ４７）。
【０２６６】
ステップＳ４７において、表示制御情報出力制御部５０５が、登録者用記憶部５１２から表示制御情報を取得する流れの一例を図８に示す。図８は、登録者用記憶部５１２から表示制御情報を取得する流れの一例を示す模式図である。
【０２６７】
図８に示すテーブル４６１は、登録者用記憶部５１２に記憶されているデータのうち、ユーザＩＤおよび登録名のみを取り出して正規化したテーブルを示している。また、テーブル４６２は、ユーザＩＤおよび画質設定に関する表示制御情報のみを取り出して正規化したテーブルを示している。また、テーブル４６３は、ユーザＩＤおよびジャンルを示す表示制御情報のみを取り出したテーブルを示している。
【０２６８】
ステップＳ４３において、身体情報取得部５０１が取得した顔情報と登録者用記憶部５１２に記憶されている識別情報とが一致した場合には、身体情報格納部５０２は、当該識別情報として、当該識別情報に対応する登録名（ここでは「母」）を表示制御情報出力制御部５０５に送信する。表示制御情報出力制御部５０５は、受信した登録名に基づいて、表示制御情報を登録者用記憶部５１２から検索する。登録者用記憶部５１２は、まず登録名が「母」であるレコードをテーブル４６１から検索することによって、登録名が「母」であるレコードのユーザＩＤ「０１」を特定する。そして、該特定したユーザＩＤを検索キーとして、テーブル４６２およびテーブル４６３を検索する。その結果、登録者用記憶部５１２は、ユーザＩＤ「０１」に対応付けられて記憶されている画質設定およびジャンルを示す表示制御情報を特定し、該特定した表示制御情報を表示制御情報出力制御部５０５に送信する。
【０２６９】
このように、表示制御情報出力制御部５０５は、登録名が「母」である継続利用者の画質設定およびジャンルを示す表示制御情報に基づいて、表示制御部５０６を制御する。例えば、「母」の好みのジャンルを示す情報を表示制御部５０６に送信したり、「母」の好みの画質に関する情報を表示制御部５０６に送信したり、「母」が録画した番組のリストを表示するための指示情報を表示制御部５０６に送信したりする。
【０２７０】
そして、ステップＳ４７の後、本処理は終了する（ステップＳ４８）。
【０２７１】
〔その他の形態〕
実施形態６では、表示装置（テレビジョン受像機）４１０の本体にカメラ４２１を内蔵して、ユーザの顔を撮影する形態について説明したが、本発明はこれに限定されない。例えば図２３に示すように表示装置４１０と外部カメラ４３２とをＨＤＭＩレシーバ４３１を介して、ＨＤＭＩ規格に準拠したインターフェイス手段により接続してもよい。また、図２３ではＨＤＭＩ規格を採用した場合について示しているが、ＵＳＢ規格、Ｗｉ−Ｆｉ規格、ＤＬＮＡ通信規格等に準拠したインターフェイス手段により接続を実現してもよい。
【０２７２】
また、図１４に例示したように、外部カメラ４３２は、カメラ付き携帯電話（図示しない）に搭載されたカメラであってもよい。また、表示装置４１０の本体に備えたカメラ４２１と外部カメラ４３２との両方のカメラを併用してユーザの視聴位置を特定しユーザの顔検出制度を高くすることができる。
【０２７３】
さらに、図２３に示すように表示装置４１０は人感センサ４７１を備えてもよい。また、人感センサ４７１の代わりに、又は、人感センサ４７１と共に視線検出センサを備えてもよい。表示装置４１０に人感センサ４７１及び／又は視線検出センサを内蔵して、人の動き及び／又は視線を検出して、ユーザがいるときのみ、カメラで撮影するように主制御部４２２を介して制御すれば、表示装置４１０本体のカメラ駆動用の消費電力を削減することができる。
【０２７４】
また、カメラ４２１の本体を回転及び追尾駆動式にして、人感センサ４７１と連動させて、動くユーザの方向に追尾してユーザの顔を撮影するようにしてもよい。
【０２７５】
また、表示装置４１０は、インターネットに接続した上で、Ｓｋｙｐｅ（登録商標）のソフトウェアを組み込んでＳｋｙｐｅ（登録商標）の機能を実現できるようにしてもよい。その場合、図２３に示すように表示装置４１０は音声制御部４８１、マイク４８２、スピーカ４８３をもさらに備えるとよい。そして、主制御部４２２にＳｋｙｐｅ（登録商標）の機能を実現するためのソフトウェアを組み込むことによって、ユーザがＳｋｙｐｅ（登録商標）の機能を利用できる。具体的には、表示装置４１０が、外部カメラ４３２（又は実施形態６のような内蔵のカメラ４２１）で撮影したユーザの姿及びマイク４８２に吹き込まれたユーザにより発せられた音声を、インターネットを介して通話の相手に送信して、通話の相手から送信される通話の相手の姿を表示部４２４に表示し、通話の相手の発する音声を表示装置４１０本体のスピーカ４８３又は表示装置４１０本体のヘッドホン端子（図示しない）に接続された外部接続のヘッドホン（図示しない）から発すればよい。
【０２７６】
＜プログラム及び記録媒体＞
実施形態６について最後に、表示装置４１０の各ブロック、特に主制御部４２２は、ハードウェアロジックによって構成してもよいし、次のようにＣＰＵを用いてソフトウェアによって実現してもよい。
【０２７７】
すなわち、表示装置４１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置４１０の制御プログラムのプログラムコード（実行形式プログラム、中間コードプログラム、ソースプログラム）をコンピュータで読み取り可能に記録した記録媒体を、上記表示装置４１０に供給し、そのコンピュータ（またはＣＰＵやＭＰＵ）が記録媒体に記録されているプログラムコードを読み出し実行することによっても、達成可能である。
【０２７８】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、あるいはマスクＲＯＭ／ＥＰＲＯＭ／ＥＥＰＲＯＭ／フラッシュＲＯＭ等の半導体メモリ類、ＰＬＤ（Programmable logic device）等の論理回路類などを用いることができる。
【０２７９】
また、表示装置４１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２８０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２８１】
本発明は、画像を表示する表示装置、特にテレビジョン受信機等の表示装置、および、表示装置を操作する遠隔操作装置に好適に適用することができる。
【符号の説明】
【０２８２】
１０〜１２    表示装置
２０          リモコン受光部（受付部）
２１          記録部
２２          画質調整部
２３          表示部
２５          カメラ
３０〜３４    遠隔操作装置（リモコン）
１００〜１０２  主制御部
１１０          指示取得部
１２０、１２１  画質設定部
１３０、１３１  ユーザ特定部（ユーザ情報取得手段）
１４０          ジャンル取得部（ジャンル取得手段）
１５０          画質調整指示部（画質調整指示手段）
１６０、１６２  顔抽出部
１７０          リモコン認識部
３１１          指紋センサ
３２２、３４３  ユーザ特定部（ユーザ情報取得手段）
３２３          記録部
３２４          リモコン発光部（信号送信部）
３３１          カメラ
３４２          顔抽出部
４１０          表示装置
４２１          カメラ（撮像部）
４２４          表示部
５０１          身体情報取得部（識別情報取得手段）
５０２          身体情報格納部（識別情報格納手段）
５０４          表示制御情報取得部（表示制御情報入力手段）
５０６          表示制御部（表示制御手段）
５１２          登録者用記憶部（記憶部）
【図１】
2011223573.tif 000003
【図２】
2011223573.tif 000004
【図３】
2011223573.tif 000005
【図４】
2011223573.tif 000006
【図５】
2011223573.tif 000007
【図６】
2011223573.tif 000008
【図７】
2011223573.tif 000009
【図８】
2011223573.tif 000010
【図９】
2011223573.tif 000011
【図１０】
2011223573.tif 000012
【図１１】
2011223573.tif 000013
【図１２】
2011223573.tif 000014
【図１３】
2011223573.tif 000015
【図１４】
2011223573.tif 000016
【図１５】
2011223573.tif 000017
【図１６】
2011223573.tif 000018
【図１７】
2011223573.tif 000019
【図１８】
2011223573.tif 000020
【図１９】
2011223573.tif 000021
【図２０】
2011223573.tif 000022
【図２１】
2011223573.tif 000023
【図２２】
2011223573.tif 000024
【図２３】
2011223573.tif 000025
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
利用者に応じた画像を表示部に表示する表示装置であって、
利用者の身体的な特徴を表すとともに利用者を識別可能な識別情報と、利用者に応じた画像を上記表示部に表示させるための表示制御情報とを対応付けて記憶する記憶部と、
上記識別情報を、利用者の操作を要さずに、利用者から取得する識別情報取得手段と、
上記識別情報取得手段によって取得された上記識別情報が上記記憶部に記憶されているとき、取得された上記識別情報と対応付けて上記記憶部に記憶されている上記表示制御情報に従って、上記表示部に画像を表示させる表示制御手段とを備えるとともに、
上記識別情報取得手段によって取得された上記識別情報が上記記憶部に記憶されておらず、かつ、当該識別情報の取得回数が予め定められた閾値を超えたとき、当該識別情報と上記表示制御情報とを対応付けて上記記憶部に格納する識別情報格納手段を備え、
上記閾値は、１以上の整数であることを特徴とする表示装置。
【請求項２】
上記表示制御情報の入力を受け付ける表示制御情報入力手段をさらに備え、
上記識別情報格納手段は、上記表示制御情報入力手段にて受け付けた上記表示制御情報と、上記識別情報とを対応付けて上記記憶部に格納することを特徴とする請求項１に記載の表示装置。
【請求項３】
上記識別情報格納手段は、上記識別情報取得手段が上記識別情報を取得したときに、上記表示制御手段から得られる上記表示制御情報と、取得した上記識別情報とを対応付けて上記記憶部に格納することを特徴とする請求項１に記載の表示装置。
【請求項４】
利用者の身体的な特徴を表す画像を撮像可能な撮像部をさらに備え、
上記識別情報取得手段は、上記撮像部によって撮像された画像から上記識別情報を取得することを特徴とする請求項１から３のいずれか１項に記載の表示装置。
【請求項５】
請求項１〜４のいずれか１項に記載の表示装置を備えることを特徴とするテレビジョン受像機。
【請求項６】
利用者に応じた画像を表示する表示部と、利用者の身体的な特徴を表すとともに利用者を識別可能な識別情報と、利用者に応じた画像を上記表示部に表示させるための表示制御情報とを対応付けて記憶する記憶部とを備える表示装置の制御方法であって、
上記識別情報を、利用者の操作を要さずに、利用者から取得する識別情報取得ステップと、
上記識別情報取得ステップによって取得された上記識別情報が上記記憶部に記憶されているとき、取得された上記識別情報と対応付けて上記記憶部に記憶されている上記表示制御情報に従って、上記表示部に画像を表示させる表示制御ステップとを含むとともに、
上記識別情報取得ステップによって取得された上記識別情報が上記記憶部に記憶されておらず、かつ、当該識別情報の取得回数が予め定められた閾値を超えたとき、当該識別情報と上記表示制御情報とを対応付けて上記記憶部に格納する識別情報格納ステップを含み、
上記閾値は、１以上の整数であることを特徴とする表示装置の制御方法。
【請求項７】
請求項１から４までの何れか１項に記載の表示装置を動作させるためのプログラムであって、コンピュータを上記の各手段として機能させるためのプログラム。
【請求項８】
請求項７に記載のプログラムを記録したコンピュータ読み取り可能な記録媒体。